(57)【要約】【課題】認証により正当性が確認されたデジタルテレビのみにデジタルコンテンツを配信することで、コンテンツの不正な取得を防止可能なデジタルコンテンツ提供システムを提供する。【解決手段】ＶＯＤサーバ１１は、デジタルテレビ１２Ａ〜１２Ｆを認証するためのデバイス認証コードを生成し、ＴＶ変調器１５により放送波に変調されたデバイス認証コードをテレビ１２Ａ〜１２Ｆに送信する。テレビ１２Ａ〜１２Ｆは、所定のコンテンツの配信を要求する時に、放送波として送信されたデバイス認証コードをサーバ１１に送信する。デバイス認証では、テレビ１２Ａ〜１２Ｆから送信されたデバイス認証コードとサーバ１１に記憶されたデバイス認証コードとを比較し、デバイス認証コード同士が一致したとき、コンテンツのテレビ１２Ａ〜１２Ｆへの配信を可とし、デバイス認証コード同士が不一致の時に、コンテンツのテレビ１２Ａ〜１２Ｆへの配信を不可とする。【選択図】図１
2015104041.tif 000002
【特許請求の範囲】
【請求項１】
各種複数のデジタルコンテンツを管理するサーバと、前記サーバにネットワークを介して接続された複数の表示デバイスとから形成され、前記サーバから前記デジタルコンテンツがそれら表示デバイスに配信されるデジタルコンテンツ提供システムにおいて、
前記デジタルコンテンツ提供システムが、前記サーバから送信するデータを放送波に変調する変調器を含み、前記サーバが、前記表示デバイスの認証に使用するデバイス認証コードを生成するデバイス認証コード生成手段と、前記デバイス認証コード生成手段によって生成したデバイス認証コードを記憶するデバイス認証コード第１記憶手段と、前記変調器によって放送波に変調された前記デバイス認証コードを所定の放送方式で前記表示デバイスに送信するデバイス認証コード第１送信手段と、前記デバイス認証コードを使用して前記表示デバイスを認証するデバイス認証手段とを有し、
前記表示デバイスが、前記放送波として送信されたデバイス認証コードを記憶するデバイス認証コード第２記憶手段と、それらデジタルコンテンツの中から所定のコンテンツの配信を要求するときに、前記デバイス認証コード第２記憶手段によって記憶したデバイス認証コードを前記サーバに送信するデバイス認証コード第２送信手段とを有し、
前記デバイス認証手段では、前記デバイス認証コード第２送信手段によって送信されたデバイス認証コードと前記デバイス認証コード第１記憶手段によって記憶したデバイス認証コードとを比較し、それらデバイス認証コードどうしが一致したときに、前記デジタルコンテンツの前記表示デバイスへの配信を可とし、それらデバイス認証コードどうしが不一致のときに、前記デジタルコンテンツの前記表示デバイスへの配信を不可とすることを特徴とするデジタルコンテンツ提供システム。
【請求項２】
前記デバイス認証コード生成手段が、前記デバイス認証コードを所定の間隔で逐次生成し、前記デバイス認証コード第１記憶手段が、前記デバイス認証コード生成手段によって生成したデバイス認証コードを最新のそれに更新し、前記デバイス認証コード第１送信手段が、前記デバイス認証コードが生成される度毎に最新のデバイス認証コードを放送波として前記表示デバイスに送信し、前記デバイス認証コード第２記憶手段が、前記デバイス認証コード送信手段によって送信されたデバイス認証コードを最新のそれに更新し、前記デバイス認証コード第２送信手段が、前記デバイス認証コード第２記憶手段によって更新した最新のデバイス認証コードを前記サーバに送信し、前記デバイス認証手段が、前記デバイス認証コード第２送信手段によって送信された最新のデバイス認証コードと前記デバイス認証コード第１記憶手段によって更新した最新のデバイス認証コードとを比較する請求項１に記載のデジタルコンテンツ提供システム。
【請求項３】
前記表示デバイスが、それらデジタルコンテンツ毎に設定されて各デジタルコンテンツを識別するコンテンツ識別コードを表示するコンテンツ識別コード表示手段と、前記コンテンツ識別コード表示手段によって表示されたそれらコンテンツ識別コードの中から所定のコンテンツ識別コードが選択されたときに、選択されたコンテンツ識別コードと前記デバイス認証コード第２記憶手段によって記憶したデバイス認証コードとを演算処理してアクセス許可コードを生成するアクセス許可コード生成手段とを含み、前記デバイス認証コード第２送信手段が、前記アクセス許可コード生成手段によって生成したアクセス許可コードを前記サーバに送信し、前記デバイス認証手段が、前記デバイス認証コード第２送信手段によって送信されたアクセス許可コードを演算処理して前記コンテンツ識別コードと前記デバイス認証コードとを取得し、取得した前記デバイス認証コードと前記デバイス認証コード第１記憶手段によって記憶したデバイス認証コードとを比較する請求項１または請求項２に記載のデジタルコンテンツ提供システム。
【請求項４】
前記アクセス許可コード生成手段が、選択されたコンテンツ識別コードと前記デバイス認証コード第２記憶手段によって更新した最新のデバイス認証コードとを演算処理して最新のアクセス許可コードを生成し、前記デバイス認証コード第２送信手段が、前記アクセス許可コード生成手段によって生成した最新のアクセス許可コードを前記サーバに送信し、前記デバイス認証手段が、最新のアクセス許可コードを演算処理して取得した最新のデバイス認証コードと前記デバイス認証コード第１記憶手段によって更新した最新のデバイス認証コードとを比較する請求項３に記載のデジタルコンテンツ提供システム。
【請求項５】
前記サーバが、それらデジタルコンテンツ毎に設定されて各デジタルコンテンツを識別するコンテンツ識別コードを記憶するコンテンツ識別コード記憶手段と、前記コンテンツ識別コード記憶手段によって記憶したコンテンツ識別コードのうちの所定のコンテンツ識別コードと前記デバイス認証コード生成手段によって生成したデバイス認証コードとを演算処理して第１アクセス許可コードを生成する第１アクセス許可コード生成手段と、前記第１アクセス許可コード生成手段によって生成した第１アクセス許可コードを記憶する第１アクセス許可コード記憶手段とを含み、前記表示デバイスが、それらコンテンツ識別コードを表示するコンテンツ識別コード表示手段と、前記コンテンツ識別コード表示手段によって表示されたそれらコンテンツ識別コードの中から所定のコンテンツ識別コードが選択されたときに、選択されたコンテンツ識別コードと前記デバイス認証コード第２記憶手段によって記憶したデバイス認証コードとを演算処理して第２アクセス許可コードを生成する第２アクセス許可コード生成手段とを含み、前記デバイス認証コード第２送信手段が、前記第２アクセス許可コード生成手段によって生成した第２アクセス許可コードと選択されたコンテンツ識別コードとを前記サーバに送信し、前記デバイス認証手段が、前記デバイス認証コード第２送信手段によって送信されたコンテンツ識別コードを参照しつつ、そのコンテンツ識別コードとデバイス認証コードとを演算処理して生成した第１アクセス許可コードを抽出し、抽出した第１アクセス許可コードと前記デバイス認証コード第２送信手段によって送信された第２アクセス許可コードとを比較し、前記第１アクセス許可コードと前記第２アクセス許可コードとが一致したときに、前記デジタルコンテンツの前記表示デバイスへの配信を可とし、前記第１アクセス許可コードと前記第２アクセス許可コードとが不一致のときに、前記デジタルコンテンツの前記表示デバイスへの配信を不可とする請求項１または請求項２に記載のデジタルコンテンツ提供システム。
【請求項６】
前記第１アクセス許可コード生成手段が、前記コンテンツ識別コードと前記デバイス認証コード第１記憶手段によって更新した最新のデバイス認証コードとを演算処理して最新の第１アクセス許可コードを生成し、前記第２アクセス許可コード生成手段が、選択されたコンテンツ識別コードと前記デバイス認証コード第２記憶手段によって更新した最新のデバイス認証コードとを演算処理して最新の第２アクセス許可コードを生成し、前記デバイス認証コード第２送信手段が、前記アクセス許可コード生成手段によって生成した最新の第２アクセス許可コードを前記サーバに送信し、前記デバイス認証手段が、最新の第１アクセス許可コードと最新の第２アクセス許可コードとを比較する請求項５に記載のデジタルコンテンツ提供システム。
【請求項７】
それらコンテンツ識別コードには、各コンテンツ識別コードに対応するデジタルコンテンツのタイトル名が含まれ、前記コンテンツ識別コード表示手段が前記タイトル名を表示デバイスに表示し、それらデジタルコンテンツの配信要求時に前記タイトル名を選択する請求項３ないし請求項６いずれかに記載のデジタルコンテンツ提供システム。
【請求項８】
前記サーバが、前記デバイス認証手段によって所定のデジタルコンテンツの前記表示デバイスへの配信を可としたときに、認証済みの表示デバイスに配信するデジタルコンテンツに対応したユニークなＵＲＬを生成するＵＲＬ生成手段と、前記ＵＲＬ生成手段によって生成したＵＲＬを前記認証済みの表示デバイスに送信するＵＲＬ送信手段と、前記認証済みの表示デバイスが前記ＵＲＬを使用して前記サーバへデジタルコンテンツの配信を要求したときに、前記ＵＲＬに対応するデジタルコンテンツを前記認証済みの表示デバイスに配信するデジタルコンテンツ配信手段とを含む請求項１ないし請求項７いずれかに記載のデジタルコンテンツ提供システム。
【請求項９】
前記認証済みの表示デバイスが、前記ＵＲＬ送信手段によって前記サーバから送信されたＵＲＬに対応するデジタルコンテンツの閲覧が終了するまでそのＵＲＬを記憶するＵＲＬ記憶手段を含む請求項８に記載のデジタルコンテンツ提供システム。
【請求項１０】
前記認証済みの表示デバイスが、前記デジタルコンテンツ配信手段によって前記サーバからデジタルコンテンツが配信された後、配信されたデジタルコンテンツの認証済みの表示デバイスにおける閲覧が終了したときに、閲覧が終了したデジタルコンテンツに対応するＵＲＬを削除するＵＲＬ削除手段を含む請求項８または請求項９に記載のデジタルコンテンツ提供システム。
【請求項１１】
前記デジタルコンテンツ提供システムでは、前記サーバが前記デバイス認証手段によって所定のデジタルコンテンツの前記表示デバイスへの配信を可としたときに、前記表示デバイスをＤＬＮＡ（Digital Living Network Alliance）モードに変更する請求項８ないし請求項１０いずれかに記載のデジタルコンテンツ提供システム。
【請求項１２】
前記表示デバイスが、不特定多数人の利用に供する施設に設置されてビデオオンデマンドによるデジタルコンテンツを放送するデジタルテレビであり、前記サーバが、ＶＯＤサーバ（ビデオオンデマンドサーバ）であり、前記デジタルコンテンツが、前記ＶＯＤサーバのコンテンツファイルに格納されている請求項１ないし請求項１１いずれかに記載のデジタルコンテンツ提供システム。
【発明の詳細な説明】
【技術分野】
【０００１】
本発明は、各種複数のデジタルコンテンツをサーバから表示デバイスに配信するデジタルコンテンツ提供システムに関する。
【背景技術】
【０００２】
クライアント端末からのコンテンツ要求を受け付ける要求受付部と、コンテンツ要求に含まれる第１のＵＲＬで識別されるコンテンツが存在するか否かを判断する判断部と、第１のＵＲＬで識別されるコンテンツが存在しないと判断された場合に、第１のＵＲＬパスと第２のＵＲＬパスとを対応付ける対応情報を参照し、第１のＵＲＬに含まれる第１のＵＲＬパスが、対応する第２のＵＲＬパスで置き換えられた第２のＵＲＬで識別されるコンテンツを取得する取得部とを備えた処理装置が開示されている（特許文献１参照）。
【０００３】
この処理装置における要求受付部は、クライアント端末からのコンテンツ要求を受け付け、受け付けたコンテンツ要求を判断部に出力する。判断部は、受け付けたコンテンツ要求を解析し、コンテンツ要求に含まれるＵＲＬを取得し、コンテンツ要求に含まれるＵＲＬで識別されるデジタルコンテンツが存在するか否かを判断する。判断部は、コンテンツ格納部に格納される１以上のデジタルコンテンツの中に、コンテンツ要求に含まれるＵＲＬで識別されるコンテンツが存在する場合、その判断結果とコンテンツ要求に含まれるＵＲＬとを取得部に出力する。取得部は、コンテンツ格納部に格納される１以上のデジタルコンテンツの中から、特定のＵＲＬで識別されるコンテンツを抽出し、そのコンテンツを取得する。一方、判断部がコンテンツ要求に含まれるＵＲＬで識別されるデジタルコンテンツが存在しないと判断した場合、取得部は、コンテンツ要求に含まれるＵＲＬの中から、そのＵＲＬのＵＲＬパスを抽出するとともに、第１のＵＲＬパスと第２のＵＲＬパスとを対応付ける対応情報を参照し、コンテンツ要求に含まれるＵＲＬのＵＲＬパスをそのＵＲＬパスに対応する他のＵＲＬパスに置き換える。
【先行技術文献】
【特許文献】
【０００４】
【特許文献１】特開２０１２−２０８６８８号公報
【発明の概要】
【発明が解決しようとする課題】
【０００５】
前記特許文献１に開示の処理装置では、各コンテンツをＵＲＬで識別し、そのＵＲＬに対応するデジタルコンテンツがクライアント端末に提供される。しかし、ＵＲＬハイジャックやバッファオーバーフローによるクラッキング等によってＵＲＬが不正に取得される場合があり、ＵＲＬを不正に取得したクラッカーがそのＵＲＬを使用して処理装置にアクセスし、そのＵＲＬに対応するデジタルコンテンツを取得する場合がある。特に、有料のデジタルコンテンツを提供する場合では、そのコンテンツに対応するＵＲＬを不正に取得されることで、コンテンツが無償で閲覧され、コンテンツ提供者が甚大な損害を被る場合がある。
【０００６】
本発明の目的は、認証によって正当性が確認された表示デバイスのみに所定のデジタルコンテンツを配信することで、コンテンツの不正な取得を防止することができ、コンテンツが無償で閲覧されることによるコンテンツ提供者の損害を防止することができるデジタルコンテンツ提供システムを提供することにある。
【課題を解決するための手段】
【０００７】
前記課題を解決するための本発明の前提は、各種複数のデジタルコンテンツを管理するサーバと、サーバにネットワークを介して接続された複数の表示デバイスとから形成され、サーバからデジタルコンテンツがそれら表示デバイスに配信されるデジタルコンテンツ提供システムである。
【０００８】
前記前提における本発明のデジタルコンテンツ提供システムの特徴は、デジタルコンテンツ提供システムが、サーバから送信するデータを放送波に変調する変調器を含み、サーバが、表示デバイスの認証に使用するデバイス認証コードを生成するデバイス認証コード生成手段と、デバイス認証コード生成手段によって生成したデバイス認証コードを記憶するデバイス認証コード第１記憶手段と、変調器によって放送波に変調されたデバイス認証コードを所定の放送方式で表示デバイスに送信するデバイス認証コード第１送信手段と、デバイス認証コードを使用して表示デバイスを認証するデバイス認証手段とを有し、表示デバイスが、放送波として送信されたデバイス認証コードを記憶するデバイス認証コード第２記憶手段と、それらデジタルコンテンツの中から所定のコンテンツの配信を要求するときに、デバイス認証コード第２記憶手段によって記憶したデバイス認証コードをサーバに送信するデバイス認証コード第２送信手段とを有し、デバイス認証手段では、デバイス認証コード第２送信手段によって送信されたデバイス認証コードとデバイス認証コード第１記憶手段によって記憶したデバイス認証コードとを比較し、それらデバイス認証コードどうしが一致したときに、デジタルコンテンツの表示デバイスへの配信を可とし、それらデバイス認証コードどうしが不一致のときに、デジタルコンテンツの表示デバイスへの配信を不可とすることにある。
【０００９】
本発明にかかるデジタルコンテンツ提供システムの一例としては、デバイス認証コード生成手段が、デバイス認証コードを所定の間隔で逐次生成し、デバイス認証コード第１記憶手段が、デバイス認証コード生成手段によって生成したデバイス認証コードを最新のそれに更新し、デバイス認証コード第１送信手段が、デバイス認証コードが生成される度毎に最新のデバイス認証コードを放送波として表示デバイスに送信し、デバイス認証コード第２記憶手段が、デバイス認証コード送信手段によって送信されたデバイス認証コードを最新のそれに更新し、デバイス認証コード第２送信手段が、デバイス認証コード第２記憶手段によって更新した最新のデバイス認証コードをサーバに送信し、デバイス認証手段が、デバイス認証コード第２送信手段によって送信された最新のデバイス認証コードとデバイス認証コード第１記憶手段によって更新した最新のデバイス認証コードとを比較する。
【００１０】
本発明にかかるデジタルコンテンツ提供システムの他の一例としては、表示デバイスが、それらデジタルコンテンツ毎に設定されて各デジタルコンテンツを識別するコンテンツ識別コードを表示するコンテンツ識別コード表示手段と、コンテンツ識別コード表示手段によって表示されたそれらコンテンツ識別コードの中から所定のコンテンツ識別コードが選択されたときに、選択されたコンテンツ識別コードとデバイス認証コード第２記憶手段によって記憶したデバイス認証コードとを演算処理してアクセス許可コードを生成するアクセス許可コード生成手段とを含み、デバイス認証コード第２送信手段が、アクセス許可コード生成手段によって生成したアクセス許可コードをサーバに送信し、デバイス認証手段が、デバイス認証コード第２送信手段によって送信されたアクセス許可コードを演算処理してコンテンツ識別コードとデバイス認証コードとを取得し、取得したデバイス認証コードとデバイス認証コード第１記憶手段によって記憶したデバイス認証コードとを比較する。
【００１１】
本発明にかかるデジタルコンテンツ提供システムの他の一例としては、アクセス許可コード生成手段が、選択されたコンテンツ識別コードとデバイス認証コード第２記憶手段によって更新した最新のデバイス認証コードとを演算処理して最新のアクセス許可コードを生成し、デバイス認証コード第２送信手段が、アクセス許可コード生成手段によって生成した最新のアクセス許可コードをサーバに送信し、デバイス認証手段が、最新のアクセス許可コードを演算処理して取得した最新のデバイス認証コードとデバイス認証コード第１記憶手段によって更新した最新のデバイス認証コードとを比較する。
【００１２】
本発明にかかるデジタルコンテンツ提供システムの他の一例としては、サーバが、それらデジタルコンテンツ毎に設定されて各デジタルコンテンツを識別するコンテンツ識別コードを記憶するコンテンツ識別コード記憶手段と、コンテンツ識別コード記憶手段によって記憶したコンテンツ識別コードのうちの所定のコンテンツ識別コードとデバイス認証コード生成手段によって生成したデバイス認証コードとを演算処理して第１アクセス許可コードを生成する第１アクセス許可コード生成手段と、第１アクセス許可コード生成手段によって生成した第１アクセス許可コードを記憶する第１アクセス許可コード記憶手段とを含み、表示デバイスが、それらコンテンツ識別コードを表示するコンテンツ識別コード表示手段と、コンテンツ識別コード表示手段によって表示されたそれらコンテンツ識別コードの中から所定のコンテンツ識別コードが選択されたときに、選択されたコンテンツ識別コードとデバイス認証コード第２記憶手段によって記憶したデバイス認証コードとを演算処理して第２アクセス許可コードを生成する第２アクセス許可コード生成手段とを含み、デバイス認証コード第２送信手段が、第２アクセス許可コード生成手段によって生成した第２アクセス許可コードと選択されたコンテンツ識別コードとをサーバに送信し、デバイス認証手段が、デバイス認証コード第２送信手段によって送信されたコンテンツ識別コードを参照しつつ、そのコンテンツ識別コードとデバイス認証コードとを演算処理して生成した第１アクセス許可コードを抽出し、抽出した第１アクセス許可コードとデバイス認証コード第２送信手段によって送信された第２アクセス許可コードとを比較し、第１アクセス許可コードと第２アクセス許可コードとが一致したときに、デジタルコンテンツの表示デバイスへの配信を可とし、第１アクセス許可コードと第２アクセス許可コードとが不一致のときに、デジタルコンテンツの表示デバイスへの配信を不可とする。
【００１３】
本発明にかかるデジタルコンテンツ提供システムの他の一例としては、第１アクセス許可コード生成手段が、コンテンツ識別コードとデバイス認証コード第１記憶手段によって更新した最新のデバイス認証コードとを演算処理して最新の第１アクセス許可コードを生成し、第２アクセス許可コード生成手段が、選択されたコンテンツ識別コードとデバイス認証コード第２記憶手段によって更新した最新のデバイス認証コードとを演算処理して最新の第２アクセス許可コードを生成し、デバイス認証コード第２送信手段が、アクセス許可コード生成手段によって生成した最新の第２アクセス許可コードをサーバに送信し、デバイス認証手段が、最新の第１アクセス許可コードと最新の第２アクセス許可コードとを比較する。
【００１４】
本発明にかかるデジタルコンテンツ提供システムの他の一例として、それらコンテンツ識別コードには、各コンテンツ識別コードに対応するデジタルコンテンツのタイトル名が含まれ、コンテンツ識別コード表示手段がタイトル名を表示デバイスに表示し、それらデジタルコンテンツの配信要求時にタイトル名を選択する。
【００１５】
本発明にかかるデジタルコンテンツ提供システムの他の一例としては、サーバが、デバイス認証手段によって所定のデジタルコンテンツの表示デバイスへの配信を可としたときに、認証済みの表示デバイスに配信するデジタルコンテンツに対応したユニークなＵＲＬを生成するＵＲＬ生成手段と、ＵＲＬ生成手段によって生成したＵＲＬを認証済みの表示デバイスに送信するＵＲＬ送信手段と、認証済みの表示デバイスがＵＲＬを使用してサーバへデジタルコンテンツの配信を要求したときに、ＵＲＬに対応するデジタルコンテンツを認証済みの表示デバイスに配信するデジタルコンテンツ配信手段とを含む。
【００１６】
本発明にかかるデジタルコンテンツ提供システムの他の一例としては、認証済みの表示デバイスが、ＵＲＬ送信手段によってサーバから送信されたＵＲＬに対応するデジタルコンテンツの閲覧が終了するまでそのＵＲＬを記憶するＵＲＬ記憶手段を含む。
【００１７】
本発明にかかるデジタルコンテンツ提供システムの他の一例としては、認証済みの表示デバイスが、デジタルコンテンツ配信手段によってサーバからデジタルコンテンツが配信された後、配信されたデジタルコンテンツの認証済みの表示デバイスにおける閲覧が終了したときに、閲覧が終了したデジタルコンテンツに対応するＵＲＬを削除するＵＲＬ削除手段を含む。
【００１８】
本発明にかかるデジタルコンテンツ提供システムの他の一例として、デジタルコンテンツ提供システムでは、サーバがデバイス認証手段によって所定のデジタルコンテンツの表示デバイスへの配信を可としたときに、表示デバイスをＤＬＮＡ（Digital Living Network Alliance）モードに変更する。
【００１９】
本発明にかかるデジタルコンテンツ提供システムの他の一例としては、表示デバイスが、不特定多数人の利用に供する施設に設置されてビデオオンデマンドによるデジタルコンテンツを放送するデジタルテレビであり、サーバが、ＶＯＤサーバ（ビデオオンデマンドサーバ）であり、デジタルコンテンツが、ＶＯＤサーバのコンテンツファイルに格納されている。
【発明の効果】
【００２０】
本発明にかかるデジタルコンテンツ提供システムによれば、サーバがそれら表示デバイスを認証するためのデバイス認証コードを生成し、変調器によって放送波に変調されたデバイス認証コードを所定の放送方式で各表示デバイスに送信するから、サーバから表示デバイスにデジタル通信でデバイス認証コードを送信する場合と比較し、デバイス認証コードの不正な取得を困難にすることができ、デバイス認証コードのクラッキングを防ぐことができる。デジタルコンテンツ提供システムは、表示デバイスが所定のコンテンツの配信を要求するときに、デバイス認証コード第２記憶手段によって記憶したデバイス認証コードをサーバに送信し、デバイス認証手段において、デバイス認証コード第２送信手段によって送信されたデバイス認証コードとデバイス認証コード第１記憶手段によって記憶したデバイス認証コードとを比較して表示デバイスを認証するから、放送波で送信された不正取得することが困難なデバイス認証コードを使用して認証を行うことで、認証のすり抜けを防止することができ、コンテンツを要求する表示デバイスの正当性を確実に確認することができる。デジタルコンテンツ提供システムは、デバイス認証コードによる認証によって正当性が確認された表示デバイスのみにデジタルコンテンツを配信することができるから、コンテンツの不正な取得を防止することができ、コンテンツが無償で閲覧されることによるコンテンツ提供者の損害を防止することができる。
【００２１】
デバイス認証コード生成手段が各表示デバイスを認証するための各種のデバイス認証コードを所定の間隔で逐次生成し、デバイス認証コード第１送信手段がデバイス認証コードが生成される度毎に最新のデバイス認証コードを放送波として各表示デバイスに送信し、デバイス認証コード第２送信手段がデバイス認証コード第２記憶手段によって更新した最新のデバイス認証コードをサーバに送信し、デバイス認証手段がデバイス認証コード第２送信手段によって送信された最新のデバイス認証コードとデバイス認証コード第１記憶手段によって更新した最新のデバイス認証コードとを比較するデジタルコンテンツ提供システムは、サーバがそれら表示デバイスを認証するためのデバイス認証コードを所定の間隔で逐次生成することで、デバイス認証コードが所定の間隔で最新のそれに変更されるから、デバイス認証手段においてデバイス認証コード第２送信手段によって送信された最新のデバイス認証コードとデバイス認証コード第１記憶手段によって更新した最新のデバイス認証コードとを比較して表示デバイスを認証することができ、最新のデバイス認証コードを使用してコンテンツを要求する表示デバイスの正当性を確実に確認することができる。デジタルコンテンツ提供システムは、デバイス認証コードが所定の間隔で最新のそれに変更されることで、変更前のデバイス認証コードが不正に取得されたとしても、そのデバイス認証コードによる認証の結果、デジタルコンテンツの表示デバイスへの配信が不可となるから、コンテンツの不正な取得を確実に防止することができ、コンテンツが無償で閲覧されることによるコンテンツ提供者の損害を防止することができる。
【００２２】
表示デバイスがコンテンツ識別コードとデバイス認証コード第２記憶手段によって記憶したデバイス認証コードとを演算処理してアクセス許可コードを生成するアクセス許可コード生成手段を含み、デバイス認証手段がデバイス認証コード第２送信手段によって送信されたアクセス許可コードを演算処理してコンテンツ識別コードとデバイス認証コードとを取得し、取得したデバイス認証コードとデバイス認証コード第１記憶手段によって記憶したデバイス認証コードとを比較してそれらデバイス認証コードどうしが一致したときに、デジタルコンテンツの表示デバイスへの配信を可とし、それらデバイス認証コードどうしが不一致のときに、デジタルコンテンツの表示デバイスへの配信を不可とするデジタルコンテンツ提供システムは、コンテンツ識別コードとデバイス認証コードとを演算処理したアクセス許可コードをサーバに送信することで、表示デバイスからサーバにデバイス認証コードを直接送信する場合と比較し、デバイス認証コードの取得を困難にすることができ、デバイス認証コードのクラッキングを確実に防ぐことができる。デジタルコンテンツ提供システムは、表示デバイスが所定のコンテンツの配信を要求するときに、コンテンツ識別コードとデバイス認証コードとを演算処理したアクセス許可コードをサーバに送信し、デバイス認証手段においてアクセス許可コードを演算処理してコンテンツ識別コードとデバイス認証コードとを取得し、取得したデバイス認証コードとデバイス認証コード第１記憶手段によって記憶したデバイス認証コードとを比較するから、コンテンツ識別コードと放送波で送信された不正取得することが困難なデバイス認証コードとを演算処理したアクセス許可コードを認証に使用することで、認証のすり抜けを確実に防止することができ、コンテンツを要求する表示デバイスの正当性を確実に確認することができる。
【００２３】
アクセス許可コード生成手段が選択されたコンテンツ識別コードとデバイス認証コード第２記憶手段によって更新した最新のデバイス認証コードとを演算処理して最新のアクセス許可コードを生成し、デバイス認証手段が最新のアクセス許可コードを演算処理して取得した最新のデバイス認証コードとデバイス認証コード第１記憶手段によって更新した最新のデバイス認証コードとを比較し、それら最新のデバイス認証コードどうしが一致したときに、デジタルコンテンツの表示デバイスへの配信を可とし、それら最新のデバイス認証コードどうしが不一致のときに、デジタルコンテンツの表示デバイスへの配信を不可とするデジタルコンテンツ提供システムは、表示デバイスがコンテンツ識別コードと所定の間隔で変更された最新のデバイス認証コードとを演算処理してアクセス許可コードを生成し、そのアクセス許可コードをサーバに送信し、デバイス認証手段において最新のアクセス許可コードを演算処理して取得した最新のデバイス認証コードとデバイス認証コード第１記憶手段によって更新した最新のデバイス認証コードとを比較して表示デバイスを認証することができ、最新のデバイス認証コードを使用してコンテンツを要求する表示デバイスの正当性を確実に確認することができる。デジタルコンテンツ提供システムは、コンテンツ識別コードと放送波で送信された不正取得することが困難な最新のデバイス認証コードとを演算処理したアクセス許可コードを使用して認証を行うことで、認証のすり抜けを確実に防止することができ、コンテンツを要求する表示デバイスの正当性を確実に確認することができる。
【００２４】
サーバが所定のコンテンツ識別コードとデバイス認証コード生成手段によって生成したデバイス認証コードとを演算処理して第１アクセス許可コードを生成する第１アクセス許可コード生成手段を含み、表示デバイスが選択されたコンテンツ識別コードとデバイス認証コード第２記憶手段によって記憶したデバイス認証コードとを演算処理して第２アクセス許可コードを生成する第２アクセス許可コード生成手段を含み、デバイス認証手段がデバイス認証コード第２送信手段によって送信されたコンテンツ識別コードを参照しつつそのコンテンツ識別コードとデバイス認証コードとを演算処理して生成した第１アクセス許可コードを抽出し、抽出した第１アクセス許可コードとデバイス認証コード第２送信手段によって送信された第２アクセス許可コードとを比較し、第１アクセス許可コードと第２アクセス許可コードとが一致したときにデジタルコンテンツの表示デバイスへの配信を可とし、第１アクセス許可コードと第２アクセス許可コードとが不一致のときにデジタルコンテンツの表示デバイスへの配信を不可とするデジタルコンテンツ提供システムは、表示デバイスがコンテンツ識別コードとデバイス認証コードとを演算処理した第２アクセス許可コードをサーバに送信することで、表示デバイスからサーバにデバイス認証コードを直接送信する場合と比較し、デバイス認証コードの取得を困難にすることができ、デバイス認証コードのクラッキングを確実に防ぐことができる。デジタルコンテンツ提供システムは、表示デバイスが所定のコンテンツの配信を要求するときに、コンテンツ識別コードとデバイス認証コードとを演算処理した第２アクセス許可コードをサーバに送信し、デバイス認証手段においてコンテンツ識別コードとデバイス認証コードとを演算処理した第１アクセス許可コードと第２アクセス許可コードとを比較するから、コンテンツ識別コードと放送波で送信された不正取得することが困難なデバイス認証コードとを演算処理した第２アクセス許可コードを認証に使用することで、認証のすり抜けを確実に防止することができ、コンテンツを要求する表示デバイスの正当性を確実に確認することができる。
【００２５】
第１アクセス許可コード生成手段がコンテンツ識別コードとデバイス認証コード第１記憶手段によって更新した最新のデバイス認証コードとを演算処理して最新の第１アクセス許可コードを生成し、第２アクセス許可コード生成手段が選択されたコンテンツ識別コードとデバイス認証コード第２記憶手段によって更新した最新のデバイス認証コードとを演算処理して最新の第２アクセス許可コードを生成し、デバイス認証手段が最新の第１アクセス許可コードと最新の第２アクセス許可コードとを比較し、最新の第１アクセス許可コードと最新の第２アクセス許可コードとが一致したときにデジタルコンテンツの表示デバイスへの配信を可とし、最新の第１アクセス許可コードと最新の第２アクセス許可コードとが不一致のときにデジタルコンテンツの表示デバイスへの配信を不可とするデジタルコンテンツ提供システムは、サーバがコンテンツ識別コードと所定の間隔で変更された最新のデバイス認証コードとを演算処理して第１アクセス許可コードを生成し、表示デバイスがコンテンツ識別コードと所定の間隔で変更された最新のデバイス認証コードとを演算処理して第２アクセス許可コードを生成して第２アクセス許可コードをサーバに送信し、デバイス認証手段において最新の第１アクセス許可コードと最新の第２アクセス許可コードとを比較して表示デバイスを認証することができ、最新のデバイス認証コードを使用してコンテンツを要求する表示デバイスの正当性を確実に確認することができる。デジタルコンテンツ提供システムは、コンテンツ識別コードと放送波で送信された不正取得することが困難な最新のデバイス認証コードとを演算処理した第２アクセス許可コードを使用して認証を行うことで、認証のすり抜けを確実に防止することができ、コンテンツを要求する表示デバイスの正当性を確実に確認することができる。
【００２６】
各コンテンツ識別コードに対応するデジタルコンテンツのタイトル名がそれらコンテンツ識別コードに含まれ、コンテンツ識別コード表示手段がタイトル名を表示デバイスに表示し、それらデジタルコンテンツの配信要求時にタイトル名を選択するデジタルコンテンツ提供システムは、デジタルコンテンツの配信要求時にタイトル名を選択することで、そのタイトル名に対応したコンテンツ識別コードが選択され、そのコンテンツ識別コードとデバイス認証コードとを演算処理したアクセス許可コード（第２アクセス許可コードを含む）をサーバに送信するから、それら表示デバイスからサーバにデバイス認証コードを直接送信する場合と比較し、デバイス認証コードの取得を困難にすることができ、デバイス認証コードのクラッキングを確実に防ぐことができる。デジタルコンテンツ提供システムは、表示デバイスが所定のコンテンツの配信を要求するときに、コンテンツ識別コードとデバイス認証コードとを演算処理したアクセス許可コードをサーバに送信し、デバイス認証手段においてアクセス許可コードを演算処理したデバイス認証コードとデバイス認証コード第１記憶手段によって記憶したデバイス認証コードとを比較するから、コンテンツ識別コードと放送波で送信された不正取得することが困難なデバイス認証コードとを演算処理したアクセス許可コードを認証に使用することで、認証のすり抜けを確実に防止することができ、コンテンツを要求する表示デバイスの正当性を確実に確認することができる。また、表示デバイスが所定のコンテンツの配信を要求するときに、コンテンツ識別コードとデバイス認証コードとを演算処理した第２アクセス許可コードをサーバに送信し、デバイス認証手段においてコンテンツ識別コードとデバイス認証コードとを演算処理した第１アクセス許可コードと第２アクセス許可コードとを比較するから、コンテンツ識別コードと放送波で送信された不正取得することが困難なデバイス認証コードとを演算処理した第２アクセス許可コードを認証に使用することで、認証のすり抜けを確実に防止することができ、コンテンツを要求する表示デバイスの正当性を確実に確認することができる。
【００２７】
サーバがデバイス認証手段によって所定のデジタルコンテンツの表示デバイスへの配信を可としたときに、認証済みの表示デバイスに配信するデジタルコンテンツに対応したユニークなＵＲＬを生成するＵＲＬ生成手段と、生成したＵＲＬを認証済みの表示デバイスに送信するＵＲＬ送信手段と、認証済みの表示デバイスがＵＲＬを使用してサーバへデジタルコンテンツの配信を要求したときに、ＵＲＬに対応するデジタルコンテンツを認証済みの表示デバイスに配信するデジタルコンテンツ配信手段とを含むデジタルコンテンツ提供システムは、デバイス認証手段によって所定のデジタルコンテンツの表示デバイスへの配信を可としたときに、コンテンツに対応するＵＲＬを認証済みの表示デバイスに送信するから、デジタルコンテンツの配信が不可の表示デバイスがコンテンツのＵＲＬを取得することはなく、認証によって正当性が確認された表示デバイスのみにコンテンツのＵＲＬを送信することができ、コンテンツの不正な取得を防止することができるとともに、コンテンツが無償で閲覧されることによるコンテンツ提供者の損害を確実に防止することができる。
【００２８】
認証済みの表示デバイスがＵＲＬ送信手段によってサーバから送信されたＵＲＬに対応するデジタルコンテンツの閲覧が終了するまでそのＵＲＬを記憶するＵＲＬ記憶手段を含むデジタルコンテンツ提供システムは、コンテンツの閲覧が未終了のＵＲＬを記憶することで、再度認証を行うことなくそのＵＲＬに対するコンテンツを閲覧することができ、認証を繰り返すことによる手続の無駄を省くことができる。
【００２９】
認証済みの表示デバイスがデジタルコンテンツ配信手段によってサーバからデジタルコンテンツが配信された後、配信されたデジタルコンテンツの認証済みの表示デバイスにおける閲覧が終了したときに、閲覧が終了したデジタルコンテンツに対応するＵＲＬを削除するＵＲＬ削除手段を含むデジタルコンテンツ提供システムは、デジタルコンテンツの閲覧終了後にそのコンテンツに対応するＵＲＬを表示デバイスが削除することで、そのＵＲＬの複数回の使用を防ぐことができ、ＵＲＬを使い回しによるコンテンツの不正な取得を防止することができるとともに、コンテンツが無償で閲覧されることによるコンテンツ提供者の損害を確実に防止することができる。
【００３０】
サーバがデバイス認証手段によって所定のデジタルコンテンツの表示デバイスへの配信を可としたときに、表示デバイスをＤＬＮＡ（Digital Living Network Alliance）モードに変更するデジタルコンテンツ提供システムは、表示デバイスをＤＬＮＡモードに変更し、認証によって正当性が確認された表示デバイスにＵＲＬを使用してデジタルコンテンツを取得させることができ、不正な表示デバイスによるＵＲＬの不正な取得やコンテンツの不正な取得を防止することができる。
【００３１】
表示デバイスが不特定多数人の利用に供する施設に設置されてビデオオンデマンドによるデジタルコンテンツを放送するデジタルテレビであり、サーバがＶＯＤサーバ（ビデオオンデマンドサーバ）であるデジタルコンテンツ提供システムは、ホテルや病院、公共施設等の不特定多数人の利用に供する施設に設置されたデジタルテレビの正当性を認証によって確認し、正当なデジタルテレビにデジタルコンテンツを配信することができ、不正なデジタルテレビにおいてコンテンツが無償で閲覧されることによるコンテンツ提供者の損害を防止することができる。
【図面の簡単な説明】
【００３２】
【図１】一例として示すデジタルコンテンツ放送システムの概略構成図。
【図２】他の一例として示すデジタルコンテンツ提供システムの概略構成図。
【図３】タイトル名やコンテンツ識別コード、表紙静止画、ＴＶ識別コードの送信および格納を説明する図。
【図４】デバイス認証コードやＴＶ識別コードの送信および格納を説明する図。
【図５】デジタルテレビに表示されたメニュー選択画面の一例を示す図。
【図６】デジタルテレビに表示されたコンテンツ選択画面の一例を示す図。
【図７】デジタルコンテンツ提供システムの各手段を実行する手順の一例を説明する図。
【図８】図７から続く各手段を実行する手順を説明する図。
【図９】図８から続く各手段を実行する手順を説明する図。
【図１０】図９から続く各手段を実行する手順を説明する図。
【図１１】デジタルコンテンツ提供システムの各手段を実行する手順の他の一例を説明する図。
【図１２】図１１から続く各手段を実行する手順を説明する図。
【図１３】デジタルコンテンツ提供システムの各手段を実行する手順の他の一例を説明する図。
【図１４】図１３から続く各手段を実行する手順を説明する図。
【発明を実施するための形態】
【００３３】
一例として示すデジタルコンテンツ提供システム１０の概略構成図である図１等の添付の図面を参照し、本発明に係るデジタルコンテンツ提供システムの詳細を説明すると、以下のとおりである。なお、図２は、他の一例として示すデジタルコンテンツ提供システム１０の概略構成図である。図１では、ＶＯＤサーバ１１とデジタルテレビ１２Ａ〜１２Ｆ（表示デバイス）とがインターネット１３を介して接続される例を図示し、図２では、ＶＯＤサーバ１１とデジタルテレビ１２Ａ〜１２Ｆ（表示デバイス）とがＬＡＮ１４によって接続された例を図示している。
【００３４】
デジタルコンテンツ提供システム１０は、宿泊施設や医療施設、福祉施設、公共施設等の不特定多数人の利用に供する施設に設置され、各種複数の有料デジタルコンテンツ（各種情報）や各種複数の無料デジタルコンテンツをデータ放送として放送する。デジタルコンテンツには、映像や画像、音楽、文章、それらの組み合わせがあるが、広義には、メディアが記録、伝送し、人間が鑑賞する情報の集合である。
【００３５】
宿泊施設には、リゾートホテルやビジネスホテル、レジャーホテル、旅館、民宿、ペンション等が含まれる。医療施設には、病院やリハビリセンター、検査機関、薬局等が含まれる。福祉施設には、有料老人ホームや老人福祉施設、介護施設等が含まれる。公共施設には、教育施設や学校施設、図書館、博物館、美術館等が含まれる。ただし、デジタルコンテンツ提供システム１０の設置場所はそれらに限定されず、あらゆる場所に設置することができ、その設置場所における各種複数のデジタルコンテンツをデータ放送として放送することができる。以下、ホテルにシステム１０が設置された場合を例として、このシステム１０を説明する。
【００３６】
デジタルコンテンツ提供システム１０は、各種複数のデジタルコンテンツを管理するＶＯＤサーバ１１（ビデオオンデマンドサーバ）（サーバ）と、ビデオオンデマンドによるデジタルコンテンツ（地上デジタル放送や自主放送を含む）を放送する複数台のデジタルテレビ１２Ａ〜１２Ｆ（表示デバイス）とから形成されている。なお、表示デバイスとしては、デジタルテレビ１２Ａ〜１２Ｆの他に、ディスプレイを有するパーソナルコンピュータやスマートフォン、タブレットを使用することができる。
【００３７】
デジタルコンテンツ提供システム１０には、ＶＯＤサーバ１１やデジタルテレビ１２Ａ〜１２Ｆの他に、ＴＶ放送波を出力するＴＶ変調器１５、地上デジタルテレビチューナー（図示せず）を備えて地上波デジタル放送をデジタルテレビ１２Ａ〜１２Ｆに配信する一般放送設備１６、自主放送用変調器（図示せず）を備えて地上デジタル放送方式の自主放送をデジタルテレビ１２Ａ〜１２Ｆに配信する自主放送設備１７、伝送設備１８が設置されている。なお、ＴＶ変調器１５は、自主放送設備１７を構成する機器の１つである。伝送設備１８は、図示はしていないが、混合器や分配器、増幅器等から形成されている。
【００３８】
ＶＯＤサーバ１１は、このシステム１０を運営する管理会社または管理会社が契約するデータセンターに設置されている。ＶＯＤサーバ１１は、ＣＰＵ（仮想ＣＰＵを含む）とメモリ（仮想メモリを含む）とを備えた物理マシン（物理コンピュータ）または仮想マシン（仮想コンピュータ）であり、大容量ハードディスク（仮想ハードディスクを含む）を内蔵している。サーバ１１には、キーボードやマウス（図示せず）等の入力装置、ディスプレイやプリンタ（図示せず）等の出力装置がインターフェイスを介して接続されている。なお、サーバ１１には、図示はしていないが、セキュリティールーター（仮想ルータを含む）とファイアーフォール（仮想ファイアーフォールを含む）とが接続されている。
【００３９】
ＶＯＤサーバ１１には、ＨＴＴＰに即してクライアントソフトウェアのウェブブラウザに対し、ＨＴＭＬやオブジェクトの表示を提供するホームページ公開のためのＷｅｂサーバ、アプリケーションソフトウェアの実行を運用、管理するアプリケーションサーバ、電子メールの送受信を運用、管理するメールサーバ、データベースを構築するために必要なデータをデータベース管理システム(DBMS)によって運用、管理し、他のコンピュータや他のサーバからの要求を受け付けて各種データを読み書きする機能を提供するデータベースサーバ、ＦＴＰを利用してファイルの送受信を行う機能を提供するＦＴＰサーバ、Domain Name Systemによってホストの識別子（ホスト名）を利用者が理解し易い形式（ドメイン名）とコンピュータが理解し易い形式（ＩＰアドレス）とに対応付ける（ホスト名とそのホスト名に割り当てるＩＰアドレスとの対応付けを設定する）ＤＮＳサーバ、内部ネットワークからインターネット接続を行う際に高速なアクセスや安全な通信を確保する機能を提供するプロキシサーバ、ＳＳＨサーバ、ＲＤＰサーバが接続されている。なお、ＶＯＤサーバ１１がそれらのサーバ機能を備えていてもよい。
【００４０】
ＶＯＤサーバ１１は、図１に示すように、インターネット１３（ネットワーク）に接続可能であり、インターネット１３を利用することで、不特定多数の他のサーバ（コンピュータ）にアクセスかつログインすることができる。サーバ１１は、各種複数のデジタルコンテンツをインターネット１３を介してデジタルテレビ１２Ａ〜１２Ｆに提供することができ、各種データをインターネット１３を介してデジタルテレビ１２Ａ〜１２Ｆから受け取ることができる。
【００４１】
ＶＯＤサーバ１１は、図２に示すように、各種複数のデジタルコンテンツをＬＡＮ１４（ネットワーク）を介してデジタルテレビ１２Ａ〜１２Ｆに提供することができ、各種データをＬＡＮ１４を介してデジタルテレビ１２Ａ〜１２Ｆから受け取ることができる。なお、それらデジタルコンテンツは、サーバ１１のコンテンツファイルに格納されている。デジタルコンテンツには、各デジタルコンテンツ毎にタイトル名（タイトル名の他に、または、タイトル名とともに、出演者情報やあらすじ、出演者写真等のデータが含まれる場合がある）が設定され、そのタイトル名が各コンテンツのコンテンツ識別コード（コンテンツ識別子）に関連付けられた状態でサーバ１１のハードディスクに格納されている。さらに、それらコンテンツを照会するコンテンツの表紙静止画がコンテンツ識別コードに関連付けられた状態でサーバ１１のハードディスクに格納されている。
【００４２】
それらデジタルテレビ１２Ａ〜１２Ｆは、ホテルの各部屋２０Ａ〜２０Ｆ（１０１〜１０６号）に設置されている。それらデジタルテレビ１２Ａ〜１２Ｆには、ＣＰＵとメモリとハードディスクとを備えたコンピュータ（図示せず）が内蔵されている。デジタルテレビ１２Ａ〜１２Ｆに内蔵されたコンピュータには、セキュリティールーターとファイアーフォールとが接続されている。各デジタルテレビ１２Ａ〜１２Ｆには、ＴＶ識別コード（デジタルテレビ識別子）が設定されている。ＴＶ識別コードには、任意に設定した番号やＢ−ＣＡＳ番号、ＩＰアドレス、ＭＡＣアドレス等またはそれらの組み合わせを使用することができる。
【００４３】
なお、各デジタルコンテンツ毎に設定されたタイトル名が各コンテンツのコンテンツ識別コードおよびＴＶ識別コードに関連付けられた状態でデジタルテレビ１２Ａ〜１２Ｆのコンピュータのハードディスクに格納され、コンテンツを紹介するコンテンツの表紙静止画がコンテンツ識別コードおよびＴＶ識別コードに関連付けられた状態でテレビ１２Ａ〜１２Ｆのコンピュータのハードディスクに格納されている。
【００４４】
デジタルテレビ１２Ａ〜１２Ｆのコンピュータは、データセンターに設置されたサーバを介してインターネット１３（ネットワーク）に接続可能であり、各種複数のデジタルコンテンツをインターネット１３を介してＶＯＤサーバ１１から受け取ることができ、各種データをインターネット１３を介してサーバ１１に提供することができる。また、それらデジタルテレビ１２Ａ〜１２Ｆは、各種複数のデジタルコンテンツをＬＡＮ１４（ネットワーク）を介してＶＯＤサーバ１１から受け取ることができ、各種データをＬＡＮ１４を介してサーバ１１に提供することができる。
【００４５】
それらデジタルテレビ１２Ａ〜１２Ｆは、同軸ケーブルを介して伝送設備１８に接続されている。デジタルテレビ１２Ａ〜１２Ｆには、それらテレビ１２Ａ〜１２Ｆを特定するＢ−ＣＡＳカードが設置されている。デジタルテレビ１２Ａ〜１２Ｆは、リモコン２０Ａ〜２０Ｆによって地上波デジタル放送と自主放送との切り換えや番組の選択、音量の調節等を行うことができるとともに、各種条件設定や各種条件変更を行うことができる。さらに、リモコン２０Ａ〜２０Ｆによって各種複数のタイトル名（各種複数のデジタルコンテンツ）の中から特定のタイトル名（特定のデジタルコンテンツ）を選択することができる。
【００４６】
一般放送設備１６や自主放送設備１７は、同軸ケーブルを介して伝送設備１８に接続されている。伝送設備１８の混合器は、複数の異なる周波数帯の同軸ケーブル（伝送路）を合成し、それら周波数帯を１本の同軸ケーブルに出力する。伝送設備１８では、地上デジタル放送や地上デジタル方式の自主放送を１つにまとめ、それらを各デジタルテレビ１２Ａ〜１２Ｆに配信する。
【００４７】
ＶＯＤサーバ１１は、オペレーティングシステム（ＯＳ）による制御に基づいて、メモリに格納されたアプリケーションを起動し、そのアプリケーションに従って以下の各手段を実行する。サーバ１１（サーバ１１のＣＰＵ）は、それらデジタルコンテンツの識別に使用するコンテンツ識別コードを記憶するコンテンツ識別コード記憶手段を実行する。サーバ１１は、それらデジタルテレビ１２Ａ〜１２Ｆの認証に使用するデバイス認証コードを生成するデバイス認証コード生成手段を実行し、デバイス認証コード生成手段によって生成したデバイス認証コードを記憶するデバイス認証コード第１記憶手段を実行する。
【００４８】
デバイス認証コード生成手段によって生成されたデバイス認証コードは、各テレビ１２Ａ〜１２Ｆ毎（各デバイス毎）に設定する場合、それらテレビ１２Ａ〜１２Ｆ（各デバイス）を１グループとし、そのグループに設定する場合、それらテレビ１２Ａ〜１２Ｆ（各デバイス）を複数のグループに分け、各グループ毎に設定する場合がある。デバイス認証コード第１記憶手段では、デバイス認証コード生成手段によって生成されたデバイス認証コードをテレビ１２Ａ〜１２ＦのＴＶ識別コード（テレビ１２Ａ〜１２Ｆを１グループとした場合は、そのグループを識別するＴＶ識別コード、テレビ１２Ａ〜１２Ｆ（各デバイス）を複数のグループに分けた場合は各グループを識別するＴＶ識別コード）に関連付けた状態でＶＯＤサーバ１１のハードディスクに格納する。
【００４９】
デバイス認証コード生成手段では、デジタルテレビ１２Ａ〜１２Ｆを認証するためのデバイス認証コードを所定の時間間隔で逐次生成する。時間間隔は、たとえば、１０分間隔や３０分間隔、２４時間間隔、４８時間間隔等自由に設定することができる。時間間隔は、入力装置からＶＯＤサーバ１１に入力され、サーバ１１のハードディスクに格納される。時間間隔は、何時でも自由に変更することができ、各デジタルテレビ１２Ａ〜１２Ｆ毎（各表示デバイス毎）に異なる時間間隔を設定することもでき、それらテレビ１２Ａ〜１２Ｆ（各デバイス）の各グループ毎に異なる時間間隔を設定することもできる。デバイス認証コード第１記憶手段では、デバイス認証コード生成手段によってデバイス認証コードが所定の時間間隔で逐次生成された場合、過去に生成されたデバイス認証コードを直近に生成された最新のデバイス認証コードに更新し（書き替え）、最新のデバイス認証コードをＴＶ識別コードに関連付けた状態でサーバ１１のハードディスクに格納する。
【００５０】
なお、デバイス認証コード生成手段では、デバイス認証コードを所定の時間間隔で逐次生成することなく、デバイス認証コードを１度だけ生成する場合もある。この場合、デバイス認証コード第１記憶手段では、デバイス認証コードを更新することなく、最初に生成されたデバイス認証コードをＴＶ識別コードに関連付けた状態でサーバ１１のハードディスクに格納する。
【００５１】
ＶＯＤサーバ１１は、変調器１５によって放送波に変調されたデバイス認証コードを所定の放送方式でデジタルテレビ１２Ａ〜１２Ｆに送信するデバイス認証コード第１送信手段を実行する。デバイス認証コード第１送信手段では、デバイス認証コード生成手段によってデバイス認証コードが所定の時間間隔で逐次生成された場合、デバイス認証コードが生成される度毎に最新のデバイス認証コードを放送波として各テレビ１２Ａ〜１２Ｆに送信する。なお、テレビ１２Ａ〜１２Ｆを１グループとした場合は、そのグループの各テレビ１２Ａ〜１２Ｆに放送波に変調されたデバイス認証コードを送信し、テレビ１２Ａ〜１２Ｆを複数のグループに分けた場合は、各グループの各テレビ１２Ａ〜１２Ｆに放送波に変調されたデバイス認証コードを送信する。
【００５２】
ＶＯＤサーバ１１は、後記するデバイス認証コード第２送信手段によってデジタルテレビ１２Ａ〜１２Ｆから送信されたデバイス認証コードを受信するデバイス認証コード受信手段を実行し、デバイス認証コードを使用して各テレビ１２Ａ〜１２Ｆを認証（それらデジタルテレビ１２Ａ〜１２Ｆを個別に認証）するデバイス認証手段を実行する。デジタルコンテンツ提供システム１０では、サーバ１１がデバイス認証手段によって所定のデジタルコンテンツのデジタルテレビ１２Ａ〜１２Ｆへの配信を可としたときに、テレビ１２Ａ〜１２ＦをＤＬＮＡ（Digital Living Network Alliance）モードに変更する。
【００５３】
ＶＯＤサーバ１１は、デバイス認証手段によって所定のデジタルコンテンツのデジタルテレビ１２Ａ〜１２Ｆへの配信を可としたときに、その認証済みのテレビ１２Ａ〜１２Ｆに配信するデジタルコンテンツに対応したユニークなＵＲＬを生成するＵＲＬ生成手段を実行し、ＵＲＬ生成手段によって生成したＵＲＬを各デジタルコンテンツのコンテンツ識別コード（デジタルコンテンツ識別子）およびＴＶ識別コード（テレビ１２Ａ〜１２Ｆを１グループとした場合は、そのグループを識別するＴＶ識別コード、テレビ１２Ａ〜１２Ｆ（各デバイス）を複数のグループに分けた場合は各グループを識別するＴＶ識別コード）に関連付けた状態でハードディスクに記憶するＵＲＬ第１記憶手段を実行する。
【００５４】
ＶＯＤサーバ１１は、ＵＲＬ生成手段によって生成したＵＲＬを認証済みのデジタルテレビ１２Ａ〜１２Ｆ（表示デバイス）に送信するＵＲＬ送信手段を実行し、認証済みのデジタルテレビ１２Ａ〜１２ＦがＵＲＬを使用してデジタルコンテンツの配信を要求したときに、ＵＲＬに対応するデジタルコンテンツを認証済みのデジタルテレビ１２Ａ〜１２Ｆに配信するデジタルコンテンツ配信手段を実行する。サーバ１１は、後記するＵＲＬ削除通知がデジタルテレビ１２Ａ〜１２Ｆから送信された場合、ＵＲＬ削除通知で通知されたＵＲＬをハードディスクから削除するＵＲＬ第１削除手段を実行する。
【００５５】
デジタルテレビ１２Ａ〜１２Ｆに内蔵されたコンピュータは、オペレーティングシステム（ＯＳ）による制御に基づいて、メモリに格納されたアプリケーションを起動し、そのアプリケーションに従って以下の各手段を実行する。テレビ１２Ａ〜１２Ｆのコンピュータは、ＶＯＤサーバ１１から放送波として送信されたデバイス認証コードを受信するデバイス認証コード受信手段を実行し、放送波として送信されたデバイス認証コードをデジタルデータとして記憶するデバイス認証コード第２記憶手段を実行する。デバイス認証コード第２記憶手段では、デバイス認証コードをテレビ１２Ａ〜１２ＦのＴＶ識別コード（テレビ１２Ａ〜１２Ｆを１グループとした場合は、そのグループを識別するＴＶ識別コード、テレビ１２Ａ〜１２Ｆ（各デバイス）を複数のグループに分けた場合は各グループを識別するＴＶ識別コード）に関連付けた状態でテレビ１２Ａ〜１２Ｆのコンピュータのハードディスクに格納する。
【００５６】
デバイス認証コード第２記憶手段では、デバイス認証コード送信手段によって最新のデバイス認証コードがデジタルテレビ１２Ａ〜１２Ｆに送信された場合、過去に送信されたデバイス認証コードを直近に送信された最新のデバイス認証コードに更新し（書き替え）、最新のデバイス認証コードをＴＶ識別コードに関連付けた状態でハードディスクに格納する。デバイス認証コード第２記憶手段では、デバイス認証コードが所定の時間間隔でデジタルテレビ１２Ａ〜１２Ｆに送信されることなく、デバイス認証コードが１度だけ送信された場合、デバイス認証コードを更新することなく、最初に送信されたデバイス認証コードをＴＶ識別コードに関連付けた状態でハードディスクに格納する。
【００５７】
デジタルテレビ１２Ａ〜１２Ｆに内蔵されたコンピュータは、それらデジタルコンテンツの中から特定のデジタルコンテンツの送信を要求するデジタルコンテンツ要求手段を実行し、特定のコンテンツの配信を要求するときに、デバイス認証コード第２記憶手段によって記憶したデバイス認証コードをＶＯＤサーバ１１に送信するデバイス認証コード第２送信手段を実行する。デバイス認証コード第２送信手段では、デバイス認証コードが所定の時間間隔で送信された場合、デバイス認証コード第２記憶手段によって更新した最新のデバイス認証コードをサーバ１１に送信する。または、デバイス認証コードが１度だけ送信された場合、最初に送信されたデバイス認証コードをサーバ１１に送信する。デジタルテレビ１２Ａ〜１２Ｆは、サーバ１１からデジタルコンテンツが送信された場合、そのコンテンツをデータ放送として放送する。
【００５８】
デジタルテレビ１２Ａ〜１２Ｆ（認証済みの表示デバイス）に内蔵されたコンピュータは、ＵＲＬ送信手段によってＶＯＤサーバ１１から送信されたＵＲＬに対応するデジタルコンテンツの閲覧が終了するまでそのＵＲＬをハードディスクに記憶するＵＲＬ記憶手段を実行する。ＵＲＬ記憶手段では、送信されたＵＲＬをデジタルコンテンツのコンテンツ識別コードおよびＴＶ識別コード（テレビ１２Ａ〜１２Ｆを１グループとした場合は、そのグループを識別するＴＶ識別コード、テレビ１２Ａ〜１２Ｆ（各デバイス）を複数のグループに分けた場合は各グループを識別するＴＶ識別コード）に関連付けた状態でハードディスクに記憶する。なお、配信したデジタルコンテンツの閲覧が終了したとは、コンテンツが最後まで閲覧された場合、デジタルテレビ１２Ａ〜１２Ｆの電源をＯＦＦにしてコンテンツの閲覧を途中で終了した場合、リモコン２０Ａ〜２０Ｆによってコンテンツの閲覧から地上波デジタル放送または自主放送に切り換えた場合がある。
【００５９】
デジタルテレビ１２Ａ〜１２Ｆ（認証済みの表示デバイス）に内蔵されたコンピュータは、デジタルコンテンツ配信手段によってＶＯＤサーバ１１からデジタルコンテンツが配信された後、配信されたデジタルコンテンツのテレビ１２Ａ〜１２Ｆにおける閲覧が終了したときに、閲覧が終了したデジタルコンテンツに対応するＵＲＬをハードディスクから削除するＵＲＬ第２削除手段を実行する。テレビ１２Ａ〜１２Ｆ（認証済みの表示デバイス）に内蔵されたコンピュータは、ＵＲＬ削除手段によってハードディスクからＵＲＬを削除した場合、ＵＲＬ削除通知をサーバ１１に送信するＵＲＬ削除通知送信手段を実行する。
【００６０】
ＶＯＤサーバ１１におけるデバイス認証手段では、デバイス認証コード第２送信手段によって送信されたデバイス認証コードとデバイス認証コード第１記憶手段によって記憶したデバイス認証コードとを比較し、それらデバイス認証コードどうしが一致したときに、デジタルコンテンツのデジタルテレビ１２Ａ〜１２Ｆへの配信を可とし、それらデバイス認証コードどうしが不一致のときに、デジタルコンテンツのデジタルテレビ１２Ａ〜１２Ｆへの配信を不可とする。なお、デバイス認証コード生成手段によってデバイス認証コードが所定の時間間隔で逐次生成された場合、デバイス認証手段では、デバイス認証コード第２送信手段によって送信された最新のデバイス認証コードとデバイス認証コード第１記憶手段によって更新した最新のデバイス認証コードとを比較する。
【００６１】
図３は、タイトル名やコンテンツ識別コード、表紙静止画、ＴＶ識別コードの送信および格納を説明する図であり、図４は、デバイス認証コードやＴＶ識別コードの送信および格納を説明する図である。なお、ＶＯＤサーバ１１とデジタルテレビ１２Ａ〜１２Ｆとがインターネット１３を介して接続される場合を例として説明する（ＶＯＤサーバ１１とデジタルテレビ１２Ａ〜１２ＦとがＬＡＮを介して接続される場合は図２参照）。
【００６２】
ＶＯＤサーバ１１のコンテンツファイルには、各種複数のデジタルコンテンツが格納されている。ＶＯＤサーバ１１のハードディスクには、それらデジタルコンテンツを識別するための各デジタルコンテンツ毎に設定されたコンテンツ識別コードが格納され（コンテンツ識別コード記憶手段）、それらデジタルコンテンツ毎に設定されたタイトル名が各コンテンツのコンテンツ識別コードに関連付けられた状態で格納されているとともに、デジタルテレビ１２Ａ〜１２ＦのＴＶ識別コードが格納されている。さらに、デバイス認証コードの生成の時間間隔が格納されている。
【００６３】
ＶＯＤサーバ１１のハードディスクには、各部屋１９Ａ〜１９Ｆの部屋番号（１０１〜１０６号）（特定箇所）が各デジタルテレビ１２Ａ〜１２ＦのＴＶ識別コードに関連付けられた状態で格納されている。したがって、そのＴＶ識別コードによって各テレビ１２Ａ〜１２Ｆが特定されるとともに、テレビ１２Ａ〜１２Ｆが据え付けられた各部屋１９Ａ〜１９Ｆの部屋番号が特定される。なお、入力装置によってタイトル名に設定するコンテンツ識別コードを自由に変更することができ、ＴＶ識別コードを自由に変更することができる。
【００６４】
ＶＯＤサーバ１１は、既存の各デジタルコンテンツのタイトル名、各タイトル名に設定されたコンテンツ識別コード、それらコンテンツを紹介するコンテンツの表紙静止画、デジタルテレビ１２Ａ〜１２ＦのＴＶ識別コードをハードディスクから抽出し、図３に示すように、タイトル名やコンテンツ識別コード、表紙静止画、ＴＶ識別コードを各テレビ１２Ａ〜１２Ｆに送信（デジタル通信）する。
【００６５】
なお、新規のデジタルコンテンツが作成された場合や既存のデジタルコンテンツが編集された場合、ＶＯＤサーバ１１は、そのコンテンツにタイトル名を設定し、そのコンテンツのコンテンツ識別コードを生成し、タイトル名をコンテンツ識別コードに関連付けた状態でハードディスクに格納するとともに、選択された表紙静止画をコンテンツ識別コードに関連付けた状態でハードディスクに格納する。さらに、新規に作成したコンテンツや編集後のコンテンツのタイトル名やコンテンツ識別コード、表紙静止画、ＴＶ識別コードを各デジタルテレビ１２Ａ〜１２Ｆに送信（デジタル通信）する。
【００６６】
デジタルテレビ１２Ａ〜１２Ｆのコンピュータは、サーバ１１から送信されたＴＶ識別コードとハードディスクに格納されたＴＶ識別コードとを比較し、それらＴＶ識別コードどうしが一致することを確認した後、タイトル名をコンテンツ識別コードおよびＴＶ識別コードに関連付けた状態でハードディスクに格納し、サーバ１１から送信された表紙静止画をコンテンツ識別コードおよびＴＶ識別コードに関連付けた状態でハードディスクに格納する。したがって、テレビ１２Ａ〜１２Ｆのコンピュータのハードディスクには、それらデジタルコンテンツ（既存のコンテンツや新規に作成されたコンテンツ、編集後のコンテンツ）の複数のタイトル名が事前に格納され、それらコンテンツの表紙静止画が事前に格納されている。
【００６７】
次に、ＶＯＤサーバ１１は、それらデジタルテレビ１２Ａ〜１２Ｆを認証するためのデバイス認証コードを生成する（デバイス認証コード生成手段）。サーバ１１は、生成したデバイス認証コードをテレビ１２Ａ〜１２Ｆ毎に設定し、または、デバイス認証コードを１つのグループに設定し、あるいは、デバイス認証コードを各グループ毎に設定する。サーバ１１は、生成したデバイス認証コードをテレビ１２Ａ〜１２ＦのＴＶ識別コード（テレビ１２Ａ〜１２Ｆを１グループとした場合は、そのグループを識別するＴＶ識別コード、テレビ１２Ａ〜１２Ｆ（各デバイス）を複数のグループに分けた場合は各グループを識別するＴＶ識別コード）に関連付けた状態でハードディスクに格納する（デバイス認証コード第１記憶手段）。
【００６８】
ＶＯＤサーバ１１は、ＴＶ変調器を使用してデバイス認証コードおよびＴＶ識別コードを放送波に変調し、図４に示すように、放送波に変調したデバイス認証コードおよびＴＶ識別コードを所定の放送方式でデジタルテレビ１２Ａ〜１２Ｆに送信する（デバイス認証コード第１送信手段）。なお、サーバ１１は、デバイス認証コードを所定の時間間隔で逐次生成した場合、先に生成したデバイス認証コードを新たに生成した最新のデバイス認証コードに更新し（デバイス認証コード第１記憶手段）、最新のデバイス認証コードおよびＴＶ識別コードを放送波としてデジタルテレビ１２Ａ〜１２Ｆに送信する（デバイス認証コード第１送信手段）。
【００６９】
デジタルテレビ１２Ａ〜１２Ｆは、ＶＯＤサーバ１１から放送波として送信されたデバイス認証コードおよびＴＶ識別コードを受信し（デバイス認証コード受信手段）、サーバ１１から送信されたＴＶ識別コードとハードディスクに格納されたＴＶ識別コードとを比較し、それらＴＶ識別コードどうしが一致することを確認した後、受信したデバイス認証コードをデジタルデータとしてＴＶ識別コードに関連付けた状態でハードディスクに格納する（デバイス認証コード第２記憶手段）。なお、サーバ１１からデバイス認証コードおよびＴＶ識別コードが逐次送信された場合、デジタルテレビ１２Ａ〜１２Ｆは、デバイス認証コードおよびＴＶ識別コードをその都度受信し（デバイス認証コード受信手段）、先に記憶したデバイス認証コードを新たに受信したデバイス認証コードに更新する（デバイス認証コード第２記憶手段）。
【００７０】
図５は、デジタルテレビ１２Ａ〜１２Ｆに表示されたメニュー選択画面の一例を示す図であり、図６は、デジタルテレビ１２Ａ〜１２Ｆに表示されたコンテンツ選択画面の一例を示す図である。図７は、デジタルコンテンツ提供システム１０の各手段を実行する手順の一例を説明する図であり、図８は、図７から続く各手段を実行する手順を説明する図である。図９は、図８から続く各手段を実行する手順を説明する図であり、図１０は、図９から続く各手段を実行する手順を説明する図である。なお、このシステム１０が実行する各手段の説明では、利用者がホテルの１０１号室１９Ａを利用し、デジタルテレビ１２Ａによって有料のデジタルコンテンツを閲覧するものとする。
【００７１】
利用者がホテルの１０１号室１９Ａに入室し、リモコン２０Ａによってデジタルテレビ１２Ａの電源を入れると、テレビ１２Ａのコンピュータは、図５に示すメニュー選択画面をテレビ１２Ａの画面に表示する。メニュー選択画面には、地上波デジタル放送ボタン３０ａ、館内放送ボタン３０ｂ、コンテンツ閲覧ボタン３０ｃが表示される。地上波デジタル放送ボタン３０ａを選択し、リモコン２０Ａの決定ボタンを押すと、図示はしていないが、地上波デジタル放送画面がテレビ１２Ａに表示され、各種の地上波デジタル放送を閲覧することができる。また、館内放送ボタン３０ｂを選択し、リモコン２０Ａの決定ボタンを押すと、図示はしていないが、ホテルの各種の自主放送が館内放送として放送される。
【００７２】
利用者が、有料のデジタルコンテンツを閲覧する場合、コンテンツ閲覧ボタン３０ｃを選択し、リモコン２０Ａの決定ボタンを押す。決定ボタンを押すと、テレビ１２Ａのコンピュータは、各デジタルコンテンツのタイトル名、各タイトル名に設定されたコンテンツ識別コード、それらコンテンツを照会するコンテンツの表紙静止画をハードディスクから抽出し、図６に示すコンテンツ選択画面をテレビ１２Ａの画面に表示する。コンテンツ選択画面には、複数の表紙静止画を表示した表紙静止画表示エリア３１ａ〜３１ｆ、それら表紙静止画に対応するデジタルコンテンツのタイトル名を表示したタイトル名表示エリア３２ａ〜３２ｆが表示されるが、コンテンツ識別コードは表示されない。なお、リモコン２０Ａの次表示ボタンを押すと、画面が次のコンテンツ選択画面数に切り替わり、テレビ１２Ａに格納されたタイトル名や表紙静止画が次々に表示される。
【００７３】
利用者が図６のコンテンツ選択画面において特定のデジタルコンテンツを閲覧する場合、そのコンテンツのタイトル名（表紙静止画）を選択し、リモコン２０Ａの決定ボタンを押す。決定ボタンを押すと、デジタルテレビ１２Ａのコンピュータは、図７に示すように、選択されたコンテンツのタイトル名に設定されたコンテンツ識別コードとテレビ１２ＡのＴＶ識別コードとをＶＯＤサーバ１１に送信（デジタル通信）してコンテンツの送信をサーバ１１に要求すると同時に（デジタルコンテンツ要求手段）、デバイス認証コード第２記憶手段によって記憶したデバイス認証コードをサーバ１１に送信（デジタル通信）する（デバイス認証コード第２送信手段）。サーバ１１からデバイス認証コードが所定の時間間隔で送信されている場合、デバイス認証コード第２記憶手段によって更新した最新のデバイス認証コードをサーバ１１に送信（デジタル通信）する（デバイス認証コード第２送信手段）。
【００７４】
ＶＯＤサーバ１１は、コンテンツ識別コードとＴＶ識別コードを受信するとともに、デバイス認証コード第２送信手段によってデジタルテレビ１２Ａから送信されたデバイス認証コードを受信する（デバイス認証コード受信手段）。サーバ１１は、デバイス認証コードを受信した後、ＴＶ識別コードに対応するテレビ１２Ａの認証を行う（デバイス認証手段）。
【００７５】
ＶＯＤサーバ１１は、デバイス認証コード第２送信手段によって送信されたデバイス認証コード（最新のデバイス認証コード）とデバイス認証コード第１記憶手段によって記憶したＴＶ識別コードに対応するテレビ１２Ａのデバイス認証コード（最新のデバイス認証コード）とを比較する。サーバ１１は、図８に示すように、それらデバイス認証コードを比較した結果、それらデバイス認証コードどうしが一致した場合、デジタルコンテンツのデジタルテレビ１２Ａへの配信を可とし、認証結果可のメッセージをテレビ１２Ａに送信（デジタル通信）する。テレビ１２Ａの画面には、認証結果可のメッセージ（図示せず）が表示される。逆に、それらデバイス認証コードどうしが不一致の場合、コンテンツのテレビ１２Ａへの配信を不可とし、認証結果不可のメッセージをテレビ１２Ａに送信（デジタル通信）する。テレビ１２Ａの画面には、認証結果不可のメッセージ（図示せず）が表示される。
【００７６】
デジタルコンテンツ提供システム１０は、ＶＯＤサーバ１１がデバイス認証手段によって所定のデジタルコンテンツのデジタルテレビ１２Ａへの配信を可とした場合、そのメッセージをテレビ１２Ａの画面に表示するとともに、テレビ１２ＡをＤＬＮＡ（Digital Living Network Alliance）モードに変更する。サーバ１１は、デバイス認証手段によって所定のデジタルコンテンツのデジタルテレビ１２Ａへの配信を可とした場合、認証済みのテレビ１２Ａに配信するコンテンツ（コンテンツ識別コードに対応したコンテンツ）に対応したユニークなＵＲＬを生成し（ＵＲＬ生成手段）、ＵＲＬ生成手段によって生成したＵＲＬをコンテンツのコンテンツ識別コードおよびＴＶ識別コードに関連付けた状態でハードディスクに記憶する（ＵＲＬ第１記憶手段）。サーバ１１は、図９に示すように、ＵＲＬ生成手段によって生成したＵＲＬとＴＶ識別コードとを認証済みのテレビ１２Ａに送信（デジタル通信）する（ＵＲＬ送信手段）。
【００７７】
認証済みのテレビ１２Ａは、ＶＯＤサーバ１１から送信されたＴＶ識別コードとハードディスクに格納されたＴＶ識別コードとを比較し、それらＴＶ識別コードどうしが一致することを確認した後、ＵＲＬ送信手段によってＶＯＤサーバ１１から送信されたＵＲＬを使用し、そのＵＲＬに対応するデジタルコンテンツの配信を要求する。ＶＯＤサーバ１１は、そのＵＲＬに対応するコンテンツをテレビ１２Ａに配信（デジタル通信）する（デジタルコンテンツ配信手段）。テレビ１２Ａの画面には、配信されたコンテンツが表示され、利用者がそのコンテンツを閲覧することができる。
【００７８】
認証済みのテレビ１２Ａは、ＵＲＬ送信手段によってＶＯＤサーバ１１から送信されたＵＲＬに対応するデジタルコンテンツの閲覧が終了するまでそのＵＲＬをハードディスクに記憶する（ＵＲＬ記憶手段）。認証済みのテレビ１２Ａは、デジタルコンテンツ配信手段によってサーバ１１からデジタルコンテンツが配信された後、ＵＲＬに対応するデジタルコンテンツが最後まで閲覧された場合、または、テレビ１２Ａの電源をＯＦＦにしてコンテンツの閲覧を途中で終了した場合、あるいは、リモコン２０Ａによってコンテンツの閲覧から地上波デジタル放送または自主放送に切り換えた場合、そのコンテンツに対応するＵＲＬをハードディスクから削除する（ＵＲＬ第２削除手段）。
【００７９】
デジタルテレビ１２Ａは、図１０に示すように、ＵＲＬ削除手段によってハードディスクからＵＲＬを削除した場合、削除したＵＲＬ、ＵＲＬ削除通知、ＴＶ識別コードをサーバ１１に送信（デジタル通信）する（ＵＲＬ削除通知送信手段）。ＶＯＤサーバ１１は、ＵＲＬ削除通知送信手段によってＵＲＬ削除通知がデジタルテレビ１２Ａ〜１２Ｆから送信された場合、ＵＲＬ削除通知で通知されたＵＲＬをハードディスクから削除する（ＵＲＬ第１削除手段）。
【００８０】
デジタルコンテンツ提供システム１０は、ＶＯＤサーバ１１がデジタルテレビ１２Ａ〜１２Ｆ（表示デバイス）を認証するためのデバイス認証コードを生成し、変調器１５によって放送波に変調されたデバイス認証コードを所定の放送方式でテレビ１２Ａ〜１２Ｆに送信するから、サーバ１１からテレビ１２Ａ〜１２Ｆにデジタル通信でデバイス認証コードを送信する場合と比較し、デバイス認証コードの不正な取得を困難にすることができ、デバイス認証コードのクラッキングを防ぐことができる。
【００８１】
デジタルコンテンツ提供システム１０は、デジタルテレビ１２Ａ〜１２Ｆが所定のコンテンツの配信を要求するときに、デバイス認証コード第２記憶手段によって記憶したデバイス認証コード（最新のデバイス認証コード）をサーバ１１に送信し、デバイス認証手段において、デバイス認証コード第２送信手段によって送信されたデバイス認証コードとデバイス認証コード第１記憶手段によって記憶したデバイス認証コード（最新のデバイス認証コード）とを比較して表示デバイスを認証するから、放送波で送信された不正取得することが困難なデバイス認証コードを使用して認証を行うことで、認証のすり抜けを防止することができ、コンテンツを要求するテレビ１２Ａ〜１２Ｆの正当性を確実に確認することができる。システム１０は、デバイス認証コードによる認証によって正当性が確認されたテレビ１２Ａ〜１２Ｆのみにデジタルコンテンツを配信することができるから、コンテンツの不正な取得を防止することができ、コンテンツが無償で閲覧されることによるコンテンツ提供者の損害を防止することができる。
【００８２】
デジタルコンテンツ提供システム１０は、デバイス認証手段によって所定のデジタルコンテンツのデジタルテレビ１２Ａ〜１２Ｆへの配信を可としたときに、コンテンツに対応するＵＲＬを認証済みのテレビ１２Ａ〜１２Ｆに送信するから、デジタルコンテンツの配信が不可のテレビ１２Ａ〜１２ＦがコンテンツのＵＲＬを取得することはなく、認証によって正当性が確認されたテレビ１２Ａ〜１２ＦのみにコンテンツのＵＲＬを送信することができ、コンテンツの不正な取得を確実に防止することができる。また、デジタルコンテンツの閲覧終了後にそのコンテンツに対応するＵＲＬをテレビ１２Ａ〜１２Ｆが削除することで、そのＵＲＬの複数回の使用を防ぐことができ、ＵＲＬを使い回しによるコンテンツの不正な取得を防止することができる。
【００８３】
図１１は、デジタルコンテンツ提供システム１０の各手段を実行する手順の他の一例を説明する図であり、図１２は、図１１から続く各手段を実行する手順を説明する図である。図１１，１２に示す手順においてＶＯＤサーバ１１が実行するコンテンツ識別コード記憶手段、デバイス認証コード生成手段、デバイス認証コード第１記憶手段、デバイス認証コード第１送信手段、ＵＲＬ生成手段、ＵＲＬ第１記憶手段、ＵＲＬ送信手段、デジタルコンテンツ配信手段は、既述のそれらと同一であり、デジタルテレビ１２Ａ〜１２Ｆのコンピュータが実行するデバイス認証コード受信手段、デバイス認証コード第２記憶手段、デジタルコンテンツ要求手段、ＵＲＬ記憶手段、ＵＲＬ削除手段は、既述のそれらと同一である。
【００８４】
また、タイトル名やコンテンツ識別コード、表紙静止画、ＴＶ識別コードの送信手順および格納手順、デバイス認証コードやＴＶ識別コードの送信手順および格納手順は、既述のそれらと同一であるから、それらを図示する図３，４を援用するとともに、図３，４の説明を援用することで、それらの説明は省略する。
【００８５】
デジタルテレビ１２Ａ〜１２Ｆ（表示デバイス）のコンピュータは、それらデジタルコンテンツ毎に設定された各コンテンツを識別するコンテンツ識別コードをテレビ１２Ａ〜１２Ｆの画面に表示するコンテンツ識別コード表示手段を実行する。なお、コンテンツ識別コード表示手段においてテレビ１２Ａ〜１２Ｆの画面に表示されるのは表紙静止画およびタイトル名であり、コンテンツ識別コードが表紙静止画およびタイトル名に書き込まれた状態であり、画面では視認不能である。
【００８６】
デジタルテレビ１２Ａ〜１２Ｆのコンピュータは、選択されたコンテンツ識別コードとデバイス認証コード第２記憶手段によって記憶したデバイス認証コードとを所定の関数を利用した演算処理をしてアクセス許可コードを生成するアクセス許可コード生成手段を実行する。テレビ１２Ａ〜１２Ｆのコンピュータは、アクセス許可コード生成手段によって生成したアクセス許可コードをＶＯＤサーバ１１に送信するデバイス認証コード第２送信手段(アクセス許可コード送信手段)を実行する。
【００８７】
アクセス許可コード生成手段では、デバイス認証コード送信手段によって最新のデバイス認証コードがデジタルテレビ１２Ａ〜１２Ｆに送信された場合、選択されたコンテンツ識別コードとデバイス認証コード第２記憶手段によって更新した最新のデバイス認証コードとを演算処理して最新のアクセス許可コードを生成する。また、デバイス認証コード第２送信手段(アクセス許可コード送信手段)では、アクセス許可コード生成手段によって生成された最新のアクセス許可コードをＶＯＤサーバ１１に送信する。
【００８８】
ＶＯＤサーバ１１（サーバ１１のＣＰＵ）は、デバイス認証コード第２送信手段によってデジタルテレビ１２Ａ〜１２Ｆから送信されたアクセス許可コードを受信するアクセス許可コード受信手段を実行する。サーバ１１は、デジタルテレビ１２Ａ〜１２Ｆから送信されたアクセス許可コードを所定の関数を利用した演算処理をしてコンテンツ識別コードとデバイス認証コードとを取得し、取得したデバイス認証コードとデバイス認証コード第１記憶手段によって記憶したデバイス認証コードとを比較して各デジタルテレビ１２Ａ〜１２Ｆを認証するデバイス認証手段を実行する。なお、デバイス認証手段では、最新のアクセス許可コードを演算処理して取得した最新のデバイス認証コードとデバイス認証コード第１記憶手段によって更新した最新のデバイス認証コードとを比較して各デジタルテレビ１２Ａ〜１２Ｆを認証する。
【００８９】
利用者が有料のデジタルコンテンツを閲覧する場合、コンテンツ閲覧ボタン３０ｃを選択し、リモコン２０Ａの決定ボタンを押すと、テレビ１２Ａのコンピュータがコンテンツ選択画面をテレビ１２Ａの画面に表示する（図６援用）。コンテンツ選択画面には、表紙静止画表示エリア３１ａ〜３１ｆおよびタイトル名表示エリア３２ａ〜３２ｆが表示される（コンテンツ識別コード表示手段）。なお、コンテンツ識別コード自体は表示されず、コンテンツ識別コードを視認することはできないが、表紙静止画表示エリア３１ａ〜３１ｆに表示された表紙静止画やタイトル名表示エリア３２ａ〜３２ｆに表示されたタイトル名にコンテンツ識別コードが書き込まれている。
【００９０】
利用者がコンテンツ選択画面において特定のデジタルコンテンツを閲覧する場合、そのコンテンツのタイトル名（表紙静止画）を選択し、リモコン２０Ａの決定ボタンを押すと、デジタルテレビ１２Ａのコンピュータは、選択されたコンテンツのタイトル名に設定されたコンテンツ識別コードとテレビ１２ＡのＴＶ識別コードとをＶＯＤサーバ１１に送信（デジタル通信）してコンテンツの送信をサーバ１１に要求する（デジタルコンテンツ要求手段）。
【００９１】
デジタルテレビ１２Ａのコンピュータは、コンテンツの送信を要求すると同時に、図１１に示すように、選択されたコンテンツ識別コードとデバイス認証コード第２記憶手段によって記憶したデバイス認証コードとを所定の関数を利用した演算処理をしてアクセス許可コードを生成し（アクセス許可コード生成手段）、アクセス許可コード生成手段によって生成したアクセス許可コードをＶＯＤサーバ１１に送信（デジタル通信）する（デバイス認証コード第２送信手段(アクセス許可コード送信手段)）。サーバ１１からデバイス認証コードが所定の時間間隔で送信されている場合、デバイス認証コード第２記憶手段によって更新した最新のデバイス認証コードとコンテンツ識別コードとを所定の関数を利用した演算処理をして最新のアクセス許可コードを生成し（アクセス許可コード生成手段）、最新のアクセス許可コードをＶＯＤサーバ１１に送信（デジタル通信）する（デバイス認証コード第２送信手段(アクセス許可コード送信手段)）。
【００９２】
ＶＯＤサーバ１１は、コンテンツ識別コードとＴＶ識別コードとを受信するとともに、デバイス認証コード第２送信手段によってデジタルテレビ１２Ａから送信されたアクセス許可コードを受信する（アクセス許可コード受信手段）。サーバ１１は、アクセス許可コードを受信した後、ＴＶ識別コードに対応するテレビ１２Ａの認証を行う（デバイス認証手段）。
【００９３】
ＶＯＤサーバ１１は、デバイス認証コード第２送信手段によって送信されたアクセス許可コード（最新のデバイス認証コード）を所定の関数を利用した演算処理をし、アクセス許可コードをコンテンツ識別コードとデバイス認証コードとに分解し、コンテンツ識別コードとデバイス認証コード（最新のデバイス認証コード）とを取得する。サーバ１１は、取得したデバイス認証コードとデバイス認証コード第１記憶手段によって記憶したＴＶ識別コードに対応するテレビ１２Ａのデバイス認証コード（最新のデバイス認証コード）とを比較する。
【００９４】
ＶＯＤサーバ１１は、図１２に示すように、それらデバイス認証コードを比較した結果、それらデバイス認証コードどうしが一致した場合、デジタルコンテンツのデジタルテレビ１２Ａへの配信を可とし、認証結果可のメッセージをテレビ１２Ａに送信（デジタル通信）する。テレビ１２Ａの画面には、認証結果可のメッセージが表示される。逆に、それらデバイス認証コードどうしが不一致の場合、コンテンツのテレビ１２Ａへの配信を不可とし、認証結果不可のメッセージをテレビ１２Ａに送信（デジタル通信）する。テレビ１２Ａの画面には、認証結果不可のメッセージが表示される。なお、それらデバイス認証コードどうしの一致には、完全一致の他に、あらかじめ定義された条件により、取得したデバイス認証コードがデバイス認証コード第１記憶手段によって記憶したＴＶ識別コードに対応するテレビ１２Ａのデバイス認証コードの範囲内にある場合も含む。
【００９５】
デジタルコンテンツ提供システム１０は、ＶＯＤサーバ１１がデバイス認証手段によって所定のデジタルコンテンツのデジタルテレビ１２Ａへの配信を可とした場合、そのメッセージをテレビ１２Ａの画面に表示するとともに、テレビ１２ＡをＤＬＮＡ（Digital Living Network Alliance）モードに変更する。サーバ１１は、デジタルコンテンツのテレビ１２Ａへの配信を可とした場合、認証済みのテレビ１２Ａに配信するコンテンツに対応したＵＲＬを生成し（ＵＲＬ生成手段）、生成したＵＲＬをコンテンツのコンテンツ識別コードおよびＴＶ識別コードに関連付けた状態でハードディスクに記憶するとともに（ＵＲＬ第１記憶手段）、生成したＵＲＬとＴＶ識別コードとを認証済みのテレビ１２Ａに送信（デジタル通信）する（ＵＲＬ送信手段）（図９援用）。
【００９６】
デジタルテレビ１２Ａは、サーバ１１から送信されたＴＶ識別コードとハードディスクに格納されたＴＶ識別コードとを比較し、それらＴＶ識別コードどうしが一致することを確認した後、サーバ１１から送信されたＵＲＬを使用し、そのＵＲＬに対応するデジタルコンテンツの配信を要求する。サーバ１１は、そのＵＲＬに対応するコンテンツをテレビ１２Ａに配信（デジタル通信）する（デジタルコンテンツ配信手段）。テレビ１２Ａの画面には、配信されたコンテンツが表示される。
【００９７】
デジタルテレビ１２Ａは、ＵＲＬ送信手段によってＶＯＤサーバ１１から送信されたＵＲＬに対応するデジタルコンテンツの閲覧が終了するまでそのＵＲＬをハードディスクに記憶する（ＵＲＬ記憶手段）。テレビ１２Ａは、コンテンツの閲覧が終了した後、そのコンテンツに対応するＵＲＬをハードディスクから削除する（ＵＲＬ第２削除手段）。テレビ１２Ａは、ハードディスクからＵＲＬを削除した場合、削除したＵＲＬ、ＵＲＬ削除通知、ＴＶ識別コードをサーバ１１に送信（デジタル通信）する（ＵＲＬ削除通知送信手段）。サーバ１１は、ＵＲＬ削除通知がデジタルテレビ１２Ａ〜１２Ｆから送信された場合、ＵＲＬ削除通知で通知されたＵＲＬをハードディスクから削除する（ＵＲＬ第１削除手段）（図１０援用）。
【００９８】
図１１，１２に示す手段を実行するデジタルコンテンツ提供システム１０は、図７〜１０に示す手段を実行するシステム１０が有する効果に加え、以下の効果を有する。システム１０は、デジタルテレビ１２Ａ〜１２Ｆ（表示デバイス）がコンテンツ識別コードとデバイス認証コードとを演算処理してアクセス許可コードを生成し、そのアクセス許可コードをテレビ１２Ａ〜１２Ｆからサーバ１１に送信することで、テレビ１２Ａ〜１２Ｆからサーバ１１にデバイス認証コードを直接送信する場合と比較し、デバイス認証コードの取得を困難にすることができ、デバイス認証コードのクラッキングを確実に防ぐことができる。
【００９９】
デジタルコンテンツ提供システム１０は、デジタルテレビ１２Ａ〜１２Ｆが所定のコンテンツの配信を要求するときに、コンテンツ識別コードとデバイス認証コード（最新のデバイス認証コード）とを演算処理したアクセス許可コード（最新のアクセス許可コード）をサーバ１１に送信し、デバイス認証手段においてアクセス許可コードを演算処理してコンテンツ識別コードとデバイス認証コードとを取得し、取得したデバイス認証コードとデバイス認証コード第１記憶手段によって記憶したデバイス認証コード（最新のデバイス認証コード）とを比較するから、コンテンツ識別コードと放送波で送信された不正取得することが困難なデバイス認証コードとを演算処理したアクセス許可コードを認証に使用することで、認証のすり抜けを確実に防止することができ、コンテンツを要求する表示デバイスの正当性を確実に確認することができる。
【０１００】
図１３は、デジタルコンテンツ提供システム１０の各手段を実行する手順の他の一例を説明する図であり、図１４は、図１３から続く各手段を実行する手順を説明する図である。図１３，１４に示す手順においてＶＯＤサーバ１１が実行するコンテンツ識別コード記憶手段、デバイス認証コード生成手段、デバイス認証コード第１記憶手段、デバイス認証コード第１送信手段、ＵＲＬ生成手段、ＵＲＬ第１記憶手段、ＵＲＬ送信手段、デジタルコンテンツ配信手段は、既述のそれらと同一であり、デジタルテレビ１２Ａ〜１２Ｆのコンピュータが実行するコンテンツ識別コード表示手段、デバイス認証コード受信手段、デバイス認証コード第２記憶手段、デジタルコンテンツ要求手段、ＵＲＬ記憶手段、ＵＲＬ削除手段は、既述のそれらと同一である。タイトル名やコンテンツ識別コード、表紙静止画、ＴＶ識別コードの送信手順および格納手順、デバイス認証コードやＴＶ識別コードの送信手順および格納手順は、既述のそれらと同一であるから、それらを図示する図３，４を援用するとともに、図３，４の説明を援用することで、それらの説明は省略する。
【０１０１】
デジタルテレビ１２Ａ〜１２Ｆ（表示デバイス）のコンピュータは、選択されたコンテンツ識別コードとデバイス認証コード第２記憶手段によって記憶したデバイス認証コードとを演算処理（所定の関数を利用した演算処理）して第２アクセス許可コードを生成する第２アクセス許可コード生成手段を実行する。テレビ１２Ａ〜１２Ｆのコンピュータは、第２アクセス許可コード生成手段によって生成した第２アクセス許可コードと選択されたコンテンツ識別コードとをＶＯＤサーバ１１に送信するデバイス認証コード第２送信手段(アクセス許可コード送信手段)を実行する。
【０１０２】
第２アクセス許可コード生成手段では、デバイス認証コード送信手段によって最新のデバイス認証コードがデジタルテレビ１２Ａ〜１２Ｆに送信された場合、選択されたコンテンツ識別コードとデバイス認証コード第２記憶手段によって更新した最新のデバイス認証コードとを演算処理して最新の第２アクセス許可コードを生成する。また、デバイス認証コード第２送信手段(アクセス許可コード送信手段)では、第２アクセス許可コード生成手段によって生成された最新の第２アクセス許可コードをＶＯＤサーバ１１に送信する。
【０１０３】
サーバ（サーバ１１のＣＰＵ）は、コンテンツ識別コード記憶手段によって記憶したコンテンツ識別コードのうちの所定のコンテンツ識別コードとデバイス認証コード生成手段によって生成したデバイス認証コードとを演算処理（所定の関数を利用した演算処理）して第１アクセス許可コードを生成する第１アクセス許可コード生成手段を実行し、第１アクセス許可コード生成手段によって生成した第１アクセス許可コードを記憶する第１アクセス許可コード記憶手段を実行する。
【０１０４】
第１アクセス許可コード生成手段では、デバイス認証コード生成手段によって最新のデバイス認証コードを生成した場合、コンテンツ識別コードとデバイス認証コード第１記憶手段によって更新した最新のデバイス認証コードとを演算処理して最新の第１アクセス許可コードを生成する。第１アクセス許可コード記憶手段では、第１アクセス許可コード生成手段によって最新の第１アクセス許可コードを生成した場合、先に生成した第１アクセス許可コードを新たに生成した最新の第１アクセス許可コードに更新する。
【０１０５】
ＶＯＤサーバ１１は、デバイス認証コード第２送信手段によってデジタルテレビ１２Ａ〜１２Ｆから送信された第２アクセス許可コードを受信するアクセス許可コード受信手段を実行する。サーバ１１は、デバイス認証コード第２送信手段によって送信されたコンテンツ識別コードを参照しつつ、そのコンテンツ識別コードとデバイス認証コードとを演算処理して生成した第１アクセス許可コードを抽出し、抽出した第１アクセス許可コードとデバイス認証コード第２送信手段によって送信された第２アクセス許可コードとを比較して各デジタルテレビ１２Ａ〜１２Ｆを認証するデバイス認証手段を実行する。なお、デバイス認証手段では、更新した最新の第１アクセス許可コードとデジタルテレビ１２Ａ〜１２Ｆから送信された最新の第２アクセス許可コードとを比較して各デジタルテレビ１２Ａ〜１２Ｆを認証する。
【０１０６】
利用者が有料のデジタルコンテンツを閲覧する場合、コンテンツ閲覧ボタン３０ｃを選択し、リモコン２０Ａの決定ボタンを押すと、テレビ１２Ａのコンピュータがコンテンツ選択画面をテレビ１２Ａの画面に表示する（図６援用）。コンテンツ選択画面には、表紙静止画表示エリア３１ａ〜３１ｆおよびタイトル名表示エリア３２ａ〜３２ｆが表示される（コンテンツ識別コード表示手段）。利用者がコンテンツ選択画面において特定のデジタルコンテンツを閲覧する場合、そのコンテンツのタイトル名（表紙静止画）を選択し、リモコン２０Ａの決定ボタンを押すと、デジタルテレビ１２Ａのコンピュータは、選択されたコンテンツのタイトル名に設定されたコンテンツ識別コードとテレビ１２ＡのＴＶ識別コードとをＶＯＤサーバ１１に送信（デジタル通信）してコンテンツの送信をサーバ１１に要求する（デジタルコンテンツ要求手段）。
【０１０７】
デジタルテレビ１２Ａのコンピュータは、コンテンツの送信を要求すると同時に、図１３に示すように、選択されたコンテンツ識別コードとデバイス認証コード第２記憶手段によって記憶したデバイス認証コードとを所定の関数を利用した演算処理をして第２アクセス許可コードを生成し（第２アクセス許可コード生成手段）、第２アクセス許可コード生成手段によって生成した第２アクセス許可コードをＶＯＤサーバ１１に送信（デジタル通信）する（デバイス認証コード第２送信手段(アクセス許可コード送信手段)）。サーバ１１からデバイス認証コードが所定の時間間隔で送信されている場合、デバイス認証コード第２記憶手段によって更新した最新のデバイス認証コードとコンテンツ識別コードとを所定の関数を利用した演算処理をして最新の第２アクセス許可コードを生成し（第２アクセス許可コード生成手段）、最新の第２アクセス許可コードをＶＯＤサーバ１１に送信（デジタル通信）する（デバイス認証コード第２送信手段(アクセス許可コード送信手段)）。
【０１０８】
ＶＯＤサーバ１１は、コンテンツ識別コードとＴＶ識別コードとを受信するとともに、デバイス認証コード第２送信手段によってデジタルテレビ１２Ａから送信された第２アクセス許可コードを受信する（アクセス許可コード受信手段）。サーバ１１は、第２アクセス許可コードを受信した後、ＴＶ識別コードに対応するテレビ１２Ａの認証を行う（デバイス認証手段）。
【０１０９】
ＶＯＤサーバ１１は、デバイス認証コード第２送信手段によって送信されたコンテンツ識別コードを参照しつつ、そのコンテンツ識別コードとデバイス認証コードとを演算処理して生成した第１アクセス許可コード（最新の第１アクセス許可コード）を抽出し、抽出した第１アクセス許可コードとデバイス認証コード第２送信手段によって送信された第２アクセス許可コード（最新の第２アクセス許可コード）とを比較する。
【０１１０】
ＶＯＤサーバ１１は、図１４に示すように、第１アクセス許可コードと第２アクセス許可コードとを比較した結果、第１アクセス許可コードと第２アクセス許可コードとが一致した場合、デジタルコンテンツのデジタルテレビ１２Ａへの配信を可とし、認証結果可のメッセージをテレビ１２Ａに送信（デジタル通信）する。テレビ１２Ａの画面には、認証結果可のメッセージが表示される。逆に、第１アクセス許可コードと第２アクセス許可コードとが不一致の場合、コンテンツのテレビ１２Ａへの配信を不可とし、認証結果不可のメッセージをテレビ１２Ａに送信（デジタル通信）する。テレビ１２Ａの画面には、認証結果不可のメッセージが表示される。なお、第１アクセス許可コードと第２アクセス許可コードとの一致には、完全一致の他に、あらかじめ定義された条件により、第２アクセス許可コードが第１アクセス許可コードの範囲内にある場合も含む。
【０１１１】
デジタルコンテンツ提供システム１０は、ＶＯＤサーバ１１がデバイス認証手段によって所定のデジタルコンテンツのデジタルテレビ１２Ａへの配信を可とした場合、そのメッセージをテレビ１２Ａの画面に表示するとともに、テレビ１２ＡをＤＬＮＡ（Digital Living Network Alliance）モードに変更する。サーバ１１は、デジタルコンテンツのテレビ１２Ａへの配信を可とした場合、認証済みのテレビ１２Ａに配信するコンテンツに対応したＵＲＬを生成し（ＵＲＬ生成手段）、生成したＵＲＬをコンテンツのコンテンツ識別コードおよびＴＶ識別コードに関連付けた状態でハードディスクに記憶するとともに（ＵＲＬ第１記憶手段）、生成したＵＲＬとＴＶ識別コードとを認証済みのテレビ１２Ａに送信（デジタル通信）する（ＵＲＬ送信手段）（図９援用）。
【０１１２】
デジタルテレビ１２Ａは、サーバ１１から送信されたＴＶ識別コードとハードディスクに格納されたＴＶ識別コードとを比較し、それらＴＶ識別コードどうしが一致することを確認した後、サーバ１１から送信されたＵＲＬを使用し、そのＵＲＬに対応するデジタルコンテンツの配信を要求する。サーバ１１は、そのＵＲＬに対応するコンテンツをテレビ１２Ａに配信（デジタル通信）する（デジタルコンテンツ配信手段）。テレビ１２Ａの画面には、配信されたコンテンツが表示される。
【０１１３】
デジタルテレビ１２Ａは、ＵＲＬ送信手段によってＶＯＤサーバ１１から送信されたＵＲＬに対応するデジタルコンテンツの閲覧が終了するまでそのＵＲＬをハードディスクに記憶する（ＵＲＬ記憶手段）。テレビ１２Ａは、コンテンツの閲覧が終了した後、そのコンテンツに対応するＵＲＬをハードディスクから削除する（ＵＲＬ第２削除手段）。テレビ１２Ａは、ハードディスクからＵＲＬを削除した場合、削除したＵＲＬ、ＵＲＬ削除通知、ＴＶ識別コードをサーバ１１に送信（デジタル通信）する（ＵＲＬ削除通知送信手段）。サーバ１１は、ＵＲＬ削除通知がデジタルテレビ１２Ａ〜１２Ｆから送信された場合、ＵＲＬ削除通知で通知されたＵＲＬをハードディスクから削除する（ＵＲＬ第１削除手段）（図１０援用）。
【０１１４】
図１３，１４に示す手段を実行するデジタルコンテンツ提供システム１０は、図７〜１０に示す手段を実行するシステム１０が有する効果に加え、以下の効果を有する。システム１０は、デジタルテレビ１２Ａ〜１２Ｆ（表示デバイス）がコンテンツ識別コードとデバイス認証コードとを演算処理して第２アクセス許可コードを生成し、その第２アクセス許可コードをテレビ１２Ａ〜１２Ｆからサーバ１１に送信することで、テレビ１２Ａ〜１２Ｆからサーバ１１にデバイス認証コードを直接送信する場合と比較し、デバイス認証コードの取得を困難にすることができ、デバイス認証コードのクラッキングを確実に防ぐことができる。
【０１１５】
デジタルコンテンツ提供システム１０は、デジタルテレビ１２Ａ〜１２Ｆが所定のコンテンツの配信を要求するときに、コンテンツ識別コードとデバイス認証コードとを演算処理した第２アクセス許可コード（最新の第２アクセス許可コード）をサーバ１１に送信し、デバイス認証手段においてコンテンツ識別コードとデバイス認証コードとを演算処理した第１アクセス許可コード（最新の第１アクセス許可コード）と第２アクセス許可コードとを比較するから、コンテンツ識別コードと放送波で送信された不正取得することが困難なデバイス認証コードとを演算処理した第２アクセス許可コードを認証に使用することで、認証のすり抜けを確実に防止することができ、コンテンツを要求する表示デバイスの正当性を確実に確認することができる。
【符号の説明】
【０１１６】
１０    デジタルコンテンツ提供システム
１１    ＶＯＤサーバ（サーバ）
１２Ａ〜１２Ｆ  デジタルテレビ
１３    インターネット（ネットワーク）
１４    ＬＡＮ（ネットワーク）
１５    ＴＶ変調器（変調器）
１６    一般放送設備
１７    自主放送設備
１８    伝送設備
１９Ａ〜１９Ｆ  部屋
２０Ａ〜２０Ｆ  リモコン
【図１】
2015104041.tif 000003
【図２】
2015104041.tif 000004
【図３】
2015104041.tif 000005
【図４】
2015104041.tif 000006
【図５】
2015104041.tif 000007
【図６】
2015104041.tif 000008
【図７】
2015104041.tif 000009
【図８】
2015104041.tif 000010
【図９】
2015104041.tif 000011
【図１０】
2015104041.tif 000012
【図１１】
2015104041.tif 000013
【図１２】
2015104041.tif 000014
【図１３】
2015104041.tif 000015
【図１４】
2015104041.tif 000016